(57)【要約】  本開示のある特定の態様は、一般にワイヤレス通信に関し、より具体的には、マシンタイプ通信（ＭＴＣ）デバイスおよび拡張型ＭＴＣ（ｅＭＴＣ）デバイスのような、限られた通信リソースを有するデバイスを利用するシステムにおける探索空間の構成に関する。例となる方法は、概して、より広いシステム帯域幅内の第１の狭帯域領域上で、第１のユーザ機器（ＵＥ）からの物理ランダムアクセスチャネル（ＰＲＡＣＨ）信号を受信することと、ＰＲＡＣＨ信号に応答して、少なくとも第１のサブフレーム中に、第２の狭帯域領域における第１の探索空間においてランダムアクセス応答（ＲＡＲ）信号を送信することとを含む。
2018527785.tif 000002
【特許請求の範囲】
【請求項１】
基地局（ＢＳ）によって実行されるワイヤレス通信のための方法であって、
より広いシステム帯域幅内の第１の狭帯域領域上で、第１のユーザ機器（ＵＥ）からの物理ランダムアクセスチャネル（ＰＲＡＣＨ）信号を受信することと、
前記ＰＲＡＣＨ信号に応答して、少なくとも第１のサブフレーム中に、第２の狭帯域領域における第１の探索空間においてランダムアクセス応答（ＲＡＲ）メッセージを送信することと
を備える方法。
【請求項２】
第３の狭帯域領域における第２の探索空間においてページング信号を送信すること
をさらに備える、請求項１に記載の方法。
【請求項３】
前記第１のＵＥとは異なるカバレッジ拡張（ＣＥ）レベルを有する第２のＵＥにＲＡＲメッセージを送信するための第４の狭帯域領域における第３の探索空間を識別することと、
システム情報ブロック（ＳＩＢ）において、前記第１の探索空間についての第１のＣＥレベルおよび前記第１の探索空間に関する情報を送信することと、
前記ＳＩＢまたは別のＳＩＢのうちの少なくとも１つにおいて、前記第３の探索空間についての第２のＣＥレベルおよび前記第３の探索空間に関する情報を送信することと
をさらに備える、請求項１に記載の方法。
【請求項４】
システム情報ブロック（ＳＩＢ）において、前記第１の探索空間に関する情報を送信すること
をさらに備える、請求項１に記載の方法。
【請求項５】
複数のカバレッジ拡張（ＣＥ）レベルの各々について、ＲＡＲ応答ウィンドウ、マシンタイプ通信（ＭＴＣ）物理ダウンリンク制御チャネル（ＭＰＤＣＣＨ）開始点サブフレームのセット、サブフレームのＲＡＲオフセット数、およびバンドルサイズを決定すること
をさらに備える、請求項１に記載の方法。
【請求項６】
前記ＢＳによってサポートされる最大カバレッジ拡張（ＣＥ）レベルに少なくとも基づいて、ページングのための無線周波数、ページングのための時間、ページングのためのバンドルサイズ、およびモニタリング候補のセットを決定すること
をさらに備える、請求項１に記載の方法。
【請求項７】
少なくとも第２のサブフレーム中に、前記第１のＵＥに専用チャネルを送信することを控えることと、
少なくとも前記第２のサブフレーム中に、前記より広いシステム帯域幅のブロードキャストチャネルにおいて、少なくとも１つのシステム情報（ＳＩ）変更または地震津波警報システム（ＥＴＷＳ）信号を送信することと
をさらに備える、請求項１に記載の方法。
【請求項８】
前記第１のＵＥのカバレッジ拡張（ＣＥ）レベルに少なくとも部分的に基づいて、ダウンリンクチャネルを送信するための繰り返しのセットを決定することと、
前記ダウンリンクチャネルについての電力ブースト値を決定することと、
前記ダウンリンクチャネルについての前記電力ブースト値のインジケーションを送信することと、
前記繰り返しのセットおよび前記電力ブースト値に基づいて、前記ダウンリンクチャネルを送信することと
をさらに備える、請求項１に記載の方法。
【請求項９】
前記繰り返しのセットにおける少なくとも１つの繰り返しについて、異なる電力ブースト値を決定すること
をさらに備える、請求項８に記載の方法。
【請求項１０】
基地局（ＢＳ）によって実行されるワイヤレス通信のための方法であって、
スクランブリングシーケンス初期化で初期化された第１のスクランブリングシーケンスを用いて、第１のＵＥへの第１の復調基準信号（ＤＭ−ＲＳ）をスクランブルすることと、
前記スクランブリングシーケンス初期化で初期化された第２のスクランブリングシーケンスを用いて、第２のＵＥへの第２のＤＭ−ＲＳをスクランブルすることと、
同じ探索空間において、前記第１のＵＥに、前記スクランブルされた第１のＤＭ−ＲＳを、および前記第２のＵＥに、前記スクランブルされた第２のＤＭ−ＲＳを送信することと
を備える方法。
【請求項１１】
前記スクランブリングシーケンス初期化は、セル固有のスクランブリングシーケンス初期化を備える、請求項１０に記載の方法。
【請求項１２】
ユーザ機器（ＵＥ）によって実行されるワイヤレス通信のための方法であって、
より広いシステム帯域幅内の第１の狭帯域領域上で、基地局（ＢＳ）に物理ランダムアクセスチャネル（ＰＲＡＣＨ）信号を送信することと、
前記ＰＲＡＣＨ信号に応答して、少なくとも第１のサブフレーム中に、第２の狭帯域領域における第１の探索空間においてランダムアクセス応答（ＲＡＲ）メッセージを受信することと
を備える方法。
【請求項１３】
第３の狭帯域領域における第２の探索空間においてページング信号を受信すること
をさらに備える、請求項１２に記載の方法。
【請求項１４】
前記ＢＳによってサポートされる最大カバレッジ拡張（ＣＥ）レベルに少なくとも部分的に基づいて、ダウンリンクチャネルを受信するための第１の繰り返しのセットを決定することと、
受信信号品質を決定することと、
前記第１の繰り返しのセットおよび前記受信信号品質に少なくとも部分的に基づいて、前記ダウンリンクチャネルを受信するための第２の繰り返しのセットを決定することと、
前記第２の繰り返しのセットに基づいて、前記ダウンリンクチャネルを受信することと
をさらに備える、請求項１３に記載の方法。
【請求項１５】
前記ダウンリンクチャネルについての電力ブースト値のインジケーションを受信することと、
前記電力ブースト値の前記インジケーションにさらに基づいて、前記ダウンリンクチャネルを受信するための前記第２の繰り返しのセットを決定することと
をさらに備える、請求項１４に記載の方法。
【請求項１６】
前記ダウンリンクチャネルについての前記電力ブースト値の前記インジケーションは、前記第１の繰り返しのセットにおける異なる繰り返しについての異なる電力ブースト値を含む、請求項１５に記載の方法。
【請求項１７】
前記ダウンリンクチャネルは、ページングチャネルに関連付けられた制御チャネルである、請求項１４に記載の方法。
【請求項１８】
前記ダウンリンクチャネルが受信されなかった場合、間欠受信モード（ＤＲＸ）に移行することをさらに備える、請求項１４に記載の方法。
【請求項１９】
前記ＵＥのカバレッジ拡張（ＣＥ）レベルに少なくとも部分的に基づいて、ＲＡＲメッセージを受信するための第４の狭帯域領域における第３の探索空間を識別することと、
システム情報ブロック（ＳＩＢ）において、前記第１の探索空間についての第１のＣＥレベルおよび前記第１の探索空間に関する情報を受信することと、
前記ＳＩＢまたは別のＳＩＢのうちの少なくとも１つにおいて、前記第３の探索空間についての第２のＣＥレベルおよび前記第３の探索空間に関する情報を受信することと
をさらに備える、請求項１２に記載の方法。
【請求項２０】
複数のカバレッジ拡張（ＣＥ）レベルの各々について、ＲＡＲ応答ウィンドウ、マシンタイプ通信（ＭＴＣ）物理ダウンリンク制御チャネル（ＭＰＤＣＣＨ）開始点サブフレームのセット、サブフレームのＲＡＲオフセット数、およびバンドルサイズを決定すること
をさらに備える、請求項１２に記載の方法。
【請求項２１】
前記ＢＳによってサポートされる最大カバレッジ拡張（ＣＥ）レベルに少なくとも基づいて、ページングのための無線周波数、ページングのための時間、ページングのためのバンドルサイズ、およびモニタリング候補のセットを決定すること
をさらに備える、請求項１２に記載の方法。
【請求項２２】
前記ＢＳによってサポートされる前記最大ＣＥレベルに関する情報を受信すること
をさらに備える、請求項２１に記載の方法。
【請求項２３】
前記第２の狭帯域領域において、システム情報（ＳＩ）変更または地震津波警報システム（ＥＴＷＳ）信号のうちの少なくとも１つを受信すること
をさらに備える、請求項１２に記載の方法。
【請求項２４】
少なくとも第２のサブフレーム中に、前記より広いシステム帯域幅のブロードキャストチャネルにおいて、少なくとも１つのシステム情報（ＳＩ）変更または地震津波警報システム（ＥＴＷＳ）信号を受信すること
をさらに備える、請求項１２に記載の方法。
【請求項２５】
ユーザ機器（ＵＥ）によって実行されるワイヤレス通信のための方法であって、
スクランブリングシーケンス初期化で初期化された第１のスクランブリングシーケンスを用いてスクランブルされた第１の復調基準信号（ＤＭ−ＲＳ）を受信することと、
探索空間において、前記第１のスクランブリングシーケンスを用いてスクランブルされた信号を受信することと、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルすることと
を備える方法。
【請求項２６】
前記スクランブリングシーケンス初期化は、セル固有のスクランブリングシーケンス初期化を備える、請求項２５に記載の方法。
【請求項２７】
ワイヤレス通信のための装置であって、
より広いシステム帯域幅内の第１の狭帯域領域上で、第１のユーザ機器（ＵＥ）からの物理ランダムアクセスチャネル（ＰＲＡＣＨ）信号を受信することと、
前記ＰＲＡＣＨ信号に応答して、少なくとも第１のサブフレーム中に、第２の狭帯域領域における第１の探索空間においてランダムアクセス応答（ＲＡＲ）メッセージを送信することと
を行うように構成された少なくとも１つのプロセッサ
を備える装置。
【請求項２８】
ワイヤレス通信のための装置であって、
スクランブリングシーケンス初期化で初期化された第１のスクランブリングシーケンスを用いて、第１のＵＥへの第１の復調基準信号（ＤＭ−ＲＳ）をスクランブルすることと、
前記スクランブリングシーケンス初期化で初期化された第２のスクランブリングシーケンスを用いて、第２のＵＥへの第２のＤＭ−ＲＳをスクランブルすることと、
同じ探索空間において、前記第１のＵＥに、前記スクランブルされた第１のＤＭ−ＲＳを、および前記第２のＵＥに、前記スクランブルされた第２のＤＭ−ＲＳを送信することと
を行うように構成された少なくとも１つのプロセッサ
を備える装置。
【請求項２９】
ワイヤレス通信のための装置であって、
より広いシステム帯域幅内の第１の狭帯域領域上で、基地局（ＢＳ）に物理ランダムアクセスチャネル（ＰＲＡＣＨ）信号を送信することと、
前記ＰＲＡＣＨ信号に応答して、少なくとも第１のサブフレーム中に、第２の狭帯域領域における第１の探索空間においてランダムアクセス応答（ＲＡＲ）メッセージを受信することと
を行うように構成された少なくとも１つのプロセッサ
を備える装置。
【請求項３０】
ワイヤレス通信のための装置であって、
スクランブリングシーケンス初期化で初期化された第１のスクランブリングシーケンスを用いてスクランブルされた第１の復調基準信号（ＤＭ−ＲＳ）を受信することと、
探索空間において、前記第１のスクランブリングシーケンスを用いてスクランブルされた信号を受信することと、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルすることと
を行うように構成された少なくとも１つのプロセッサ
を備える装置。
【請求項３１】
ワイヤレス通信のための装置であって、
より広いシステム帯域幅内の第１の狭帯域領域上で、第１のユーザ機器（ＵＥ）からの物理ランダムアクセスチャネル（ＰＲＡＣＨ）信号を受信するための手段と、
前記ＰＲＡＣＨ信号に応答して、少なくとも第１のサブフレーム中に、第２の狭帯域領域における第１の探索空間においてランダムアクセス応答（ＲＡＲ）メッセージを送信するための手段と
を備える装置。
【請求項３２】
ワイヤレス通信のための装置であって、
スクランブリングシーケンス初期化で初期化された第１のスクランブリングシーケンスを用いて、第１のＵＥへの第１の復調基準信号（ＤＭ−ＲＳ）をスクランブルするための手段と、
前記スクランブリングシーケンス初期化で初期化された第２のスクランブリングシーケンスを用いて、第２のＵＥへの第２のＤＭ−ＲＳをスクランブルするための手段と、
同じ探索空間において、前記第１のＵＥに、前記スクランブルされた第１のＤＭ−ＲＳを、および前記第２のＵＥに、前記スクランブルされた第２のＤＭ−ＲＳを送信するための手段と
を備える装置。
【請求項３３】
ワイヤレス通信のための装置であって、
より広いシステム帯域幅内の第１の狭帯域領域上で、基地局（ＢＳ）に物理ランダムアクセスチャネル（ＰＲＡＣＨ）信号を送信するための手段と、
前記ＰＲＡＣＨ信号に応答して、少なくとも第１のサブフレーム中に、第２の狭帯域領域における第１の探索空間においてランダムアクセス応答（ＲＡＲ）メッセージを受信するための手段と
を備える装置。
【請求項３４】
ワイヤレス通信のための装置であって、
スクランブリングシーケンス初期化で初期化された第１のスクランブリングシーケンスを用いてスクランブルされた第１の復調基準信号（ＤＭ−ＲＳ）を受信するための手段と、
探索空間において、前記第１のスクランブリングシーケンスを用いてスクランブルされた信号を受信するための手段と、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルするための手段と
を備える装置。
【請求項３５】
ワイヤレス通信のためのコンピュータ可読媒体であって、
より広いシステム帯域幅内の第１の狭帯域領域上で、第１のユーザ機器（ＵＥ）からの物理ランダムアクセスチャネル（ＰＲＡＣＨ）信号を受信するためのコードと、
前記ＰＲＡＣＨ信号に応答して、少なくとも第１のサブフレーム中に、第２の狭帯域領域における第１の探索空間においてランダムアクセス応答（ＲＡＲ）メッセージを送信するためのコードと
を備えるコンピュータ可読媒体。
【請求項３６】
ワイヤレス通信のためのコンピュータ可読媒体であって、
スクランブリングシーケンス初期化で初期化された第１のスクランブリングシーケンスを用いて、第１のＵＥへの第１の復調基準信号（ＤＭ−ＲＳ）をスクランブルするためのコードと、
前記スクランブリングシーケンス初期化で初期化された第２のスクランブリングシーケンスを用いて、第２のＵＥへの第２のＤＭ−ＲＳをスクランブルするためのコードと、
同じ探索空間において、前記第１のＵＥに、前記スクランブルされた第１のＤＭ−ＲＳを、および前記第２のＵＥに、前記スクランブルされた第２のＤＭ−ＲＳを送信するためのコードと
を備えるコンピュータ可読媒体。
【請求項３７】
ワイヤレス通信のためのコンピュータ可読媒体であって、
より広いシステム帯域幅内の第１の狭帯域領域上で、基地局（ＢＳ）に物理ランダムアクセスチャネル（ＰＲＡＣＨ）信号を送信するためのコードと、
前記ＰＲＡＣＨ信号に応答して、少なくとも第１のサブフレーム中に、第２の狭帯域領域における第１の探索空間においてランダムアクセス応答（ＲＡＲ）メッセージを受信するためのコードと
を備えるコンピュータ可読媒体。
【請求項３８】
ワイヤレス通信のためのコンピュータ可読媒体であって、
スクランブリングシーケンス初期化で初期化された第１のスクランブリングシーケンスを用いてスクランブルされた第１の復調基準信号（ＤＭ−ＲＳ）を受信するためのコードと、
探索空間において、前記第１のスクランブリングシーケンスを用いてスクランブルされた信号を受信するためのコードと、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルするためのコードと
を備えるコンピュータ可読媒体。
【発明の詳細な説明】
【米国特許法第１１９条に基づく優先権の主張】
【０００１】
[0001]本願は、２０１６年６月６日に出願された米国出願第１５／１７４，６７８号に対する優先権を主張し、それは、２０１５年７月１０日に出願された仮出願第６２／１９１，２５３号、および２０１６年１月２８日に出願された米国仮出願第６２／２８８，４２５号の利益を主張し、これらは全て、本願の譲受人に譲渡され、その全体がここでの参照により本明細書に明確に組み込まれている。
【技術分野】
【０００２】
[0002]本開示のある特定の態様は、一般にワイヤレス通信に関し、より具体的には、（１つまたは複数の）マシンタイプ通信（ＭＴＣ：machine type communication）デバイスおよび拡張型または発展型ＭＴＣ（ｅＭＴＣ）デバイスのような、限られた（limited）通信リソースを有するデバイスを利用するシステムにおける探索空間の構成（search space configuration）に関する。
【背景技術】
【０００３】
[0003]ワイヤレス通信システムは、音声、データ、等のような様々なタイプの通信コンテンツを提供するために広く展開されている。これらのシステムは、利用可能なシステムリソース（例えば、帯域幅および送信電力）を共有することによって、複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標））アドバンストシステムを含む第３世代パートナーシッププロジェクト（３ＧＰＰ（登録商標））ＬＴＥ、および直交周波数分割多元接続（ＯＦＤＭＡ）システムを含む。
【０００４】
[0004]一般に、ワイヤレス多元接続通信システムは、複数のワイヤレス端末のための通信を同時にサポートすることができる。各端末は、順方向リンクおよび逆方向リンク上の送信を介して、１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]ワイヤレス通信ネットワークは、多数の（a number of）ワイヤレスデバイスのための通信をサポートすることができる多数の基地局を含み得る。ワイヤレスデバイスは、ユーザ機器（ＵＥ）を含み得る。いくつかのＵＥは、遠隔デバイスを含み得るマシンタイプ通信（ＭＴＣ）ＵＥであると考えられ得、それは、基地局、別の遠隔デバイス、または何らかの他のエンティティと通信し得る。マシンタイプ通信（ＭＴＣ）は、通信の少なくとも一端に少なくとも１つの遠隔デバイスを伴う通信を指し得、ヒューマンインタラクション（human interaction）を必ずしも必要としない１つまたは複数のエンティティを伴うデータ通信の形態を含み得る。ＭＴＣ ＵＥは、例えば、地上波公共移動通信ネットワーク（ＰＬＭＮ：Public Land Mobile Networks）を通じて、ＭＴＣサーバおよび／または他のＭＴＣデバイスとのＭＴＣ通信が可能であるＵＥを含み得る。
【発明の概要】
【０００６】
[0006]本開示のシステム、方法、およびデバイスは、いくつかの態様をそれぞれ有し、これらのうちの何れも、単独でその望ましい属性を担うものではない。後続する特許請求の範囲によって表される本開示の範囲を限定することなく、ここでいくつかの特徴が簡潔に説明される。この説明を考慮した後、また、特に「発明の詳細な説明」と題するセクションを読んだ後、当業者であれば、本開示の特徴が、どのようにワイヤレスネットワークにおけるアクセスポイントと局の間の改善された通信を含む利点を提供するかを理解するであろう。
【０００７】
[0007]本開示のある特定の態様は、基地局（ＢＳ）によるワイヤレス通信のための方法を提供する。この方法は、概して、より広いシステム帯域幅内の第１の狭帯域領域上で、第１のユーザ機器（ＵＥ）からの物理ランダムアクセスチャネル（ＰＲＡＣＨ）信号を受信することと、ＰＲＡＣＨ信号に応答して、少なくとも第１のサブフレーム中に、第２の狭帯域領域における第１の探索空間においてランダムアクセス応答（ＲＡＲ）信号を送信することとを含む。
【０００８】
[0008]本開示のある特定の態様は、ユーザ機器（ＵＥ）によるワイヤレス通信のための方法を提供する。この方法は、概して、より広いシステム帯域幅内の第１の狭帯域領域上で、基地局（ＢＳ）に物理ランダムアクセスチャネル（ＰＲＡＣＨ）信号を送信することと、ＰＲＡＣＨ信号に応答して、少なくとも第１のサブフレーム中に、第２の狭帯域領域における第１の探索空間においてランダムアクセス応答（ＲＡＲ）信号を受信することとを含む。
【０００９】
[0009]本開示のある特定の態様は、基地局（ＢＳ）によるワイヤレス通信のための方法を提供する。この方法は、概して、ＵＥのカバレッジ拡張（ＣＥ：coverage enhancement）レベルを決定することと、ＣＥレベルに基づいて、ＵＥに信号を送信するためのスクランブリングシーケンスを初期化することと、スクランブリングシーケンスを用いて、ＵＥへの信号をスクランブルすることと、ＵＥに、スクランブルされた信号を送信することとを含む。
【００１０】
[0010]本開示のある特定の態様は、ユーザ機器（ＵＥ）によるワイヤレス通信のための方法を提供する。この方法は、概して、ＵＥのカバレッジ拡張（ＣＥ）レベルに基づいて、スクランブリングシーケンスを初期化することと、スクランブリングシーケンスを用いてスクランブルされた信号を受信することと、スクランブリングシーケンスを用いて信号を逆スクランブルすること（descrambling）とを含む。
【００１１】
[0011]本開示のある特定の態様は、基地局（ＢＳ）によって実行されるワイヤレス通信のための方法を提供する。この方法は、概して、スクランブリングシーケンス初期化で初期化された第１のスクランブリングシーケンスを用いて、第１のＵＥへの第１の復調基準信号（ＤＭ−ＲＳ）をスクランブルすることと、スクランブリングシーケンス初期化で初期化された第２のスクランブリングシーケンスを用いて、第２のＵＥへの第２のＤＭ−ＲＳをスクランブルすることと、同じ探索空間において、第１のＵＥに、スクランブルされた第１のＤＭ−ＲＳを、および第２のＵＥに、スクランブルされた第２のＤＭ−ＲＳを送信することとを含む。
【００１２】
[0012]本開示のある特定の態様は、ユーザ機器（ＵＥ）によって実行されるワイヤレス通信のための方法を提供する。この方法は、概して、スクランブリングシーケンス初期化で初期化された第１のスクランブリングシーケンスを用いてスクランブルされた第１の復調基準信号（ＤＭ−ＲＳ）を受信することと、探索空間において、第１のスクランブリングシーケンスを用いてスクランブルされた信号を受信することと、ここにおいて、スクランブリングシーケンス初期化で初期化された第２のスクランブリングシーケンスを用いてスクランブルされた少なくとも第２のＤＭ−ＲＳが、探索空間において送信され、第１のスクランブリングシーケンスを用いて信号を逆スクランブルすることとを含む。
【００１３】
[0013]本開示のある特定の態様は、基地局（ＢＳ）によって実行されるワイヤレス通信のための方法を提供する。この方法は、概して、ダウンリンクチャネルを送信するための繰り返しのセット（a set of repetitions）を決定することと、ダウンリンクチャネルについての電力ブースト値を決定することと、ダウンリンクチャネルについての電力ブースト値のインジケーションを送信することと、繰り返しのセットおよび電力ブースト値に基づいて、ダウンリンクチャネルを送信することとを含む。
【００１４】
[0014]本開示のある特定の態様は、ユーザ機器（ＵＥ）によって実行されるワイヤレス通信のための方法を提供する。この方法は、概して、ダウンリンクチャネルを受信するための第１の繰り返しのセットを決定することと、受信信号品質を決定することと、第１の繰り返しのセットおよび受信信号品質に少なくとも部分的に基づいて、ダウンリンクチャネルを受信するための第２の繰り返しのセットを決定することと、第２の繰り返しのセットに基づいて、ダウンリンクチャネルを受信することとを含む。
【００１５】
[0015]本開示のある特定の態様は、ワイヤレス通信のための装置を提供する。この装置は、概して、より広いシステム帯域幅内の第１の狭帯域領域上で、第１のユーザ機器（ＵＥ）からの物理ランダムアクセスチャネル（ＰＲＡＣＨ）信号を受信することと、ＰＲＡＣＨ信号に応答して、少なくとも第１のサブフレーム中に、第２の狭帯域領域における第１の探索空間においてランダムアクセス応答（ＲＡＲ）メッセージを送信することとを行うように構成された少なくとも１つのプロセッサを含む。
【００１６】
[0016]本開示のある特定の態様は、ワイヤレス通信のための装置を提供する。この装置は、概して、スクランブリングシーケンス初期化で初期化された第１のスクランブリングシーケンスを用いて、第１のＵＥへの第１の復調基準信号（ＤＭ−ＲＳ）をスクランブルすることと、スクランブリングシーケンス初期化で初期化された第２のスクランブリングシーケンスを用いて、第２のＵＥへの第２のＤＭ−ＲＳをスクランブルすることと、同じ探索空間において、第１のＵＥに、スクランブルされた第１のＤＭ−ＲＳを、および第２のＵＥに、スクランブルされた第２のＤＭ−ＲＳを送信することとを行うように構成された少なくとも１つのプロセッサを含む。
【００１７】
[0017]本開示のある特定の態様は、ワイヤレス通信のための装置を提供する。この装置は、概して、より広いシステム帯域幅内の第１の狭帯域領域上で、基地局（ＢＳ）に物理ランダムアクセスチャネル（ＰＲＡＣＨ）信号を送信することと、ＰＲＡＣＨ信号に応答して、少なくとも第１のサブフレーム中に、第２の狭帯域領域における第１の探索空間においてランダムアクセス応答（ＲＡＲ）メッセージを受信することとを行うように構成された少なくとも１つのプロセッサを含む。
【００１８】
[0018]本開示のある特定の態様は、ワイヤレス通信のための装置を提供する。この装置は、概して、スクランブリングシーケンス初期化で初期化された第１のスクランブリングシーケンスを用いてスクランブルされた第１の復調基準信号（ＤＭ−ＲＳ）を受信することと、探索空間において、第１のスクランブリングシーケンスを用いてスクランブルされた信号を受信することと、ここにおいて、スクランブリングシーケンス初期化で初期化された第２のスクランブリングシーケンスを用いてスクランブルされた少なくとも第２のＤＭ−ＲＳが、探索空間において送信され、第１のスクランブリングシーケンスを用いて信号を逆スクランブルすることとを行うように構成された少なくとも１つのプロセッサを含む。
【００１９】
[0019]本開示のある特定の態様は、ワイヤレス通信のための装置を提供する。この装置は、概して、より広いシステム帯域幅内の第１の狭帯域領域上で、第１のユーザ機器（ＵＥ）からの物理ランダムアクセスチャネル（ＰＲＡＣＨ）信号を受信するための手段と、ＰＲＡＣＨ信号に応答して、少なくとも第１のサブフレーム中に、第２の狭帯域領域における第１の探索空間においてランダムアクセス応答（ＲＡＲ）メッセージを送信するための手段とを含む。
【００２０】
[0020]本開示のある特定の態様は、ワイヤレス通信のための装置を提供する。この装置は、概して、スクランブリングシーケンス初期化で初期化された第１のスクランブリングシーケンスを用いて、第１のＵＥへの第１の復調基準信号（ＤＭ−ＲＳ）をスクランブルするための手段と、スクランブリングシーケンス初期化で初期化された第２のスクランブリングシーケンスを用いて、第２のＵＥへの第２のＤＭ−ＲＳをスクランブルするための手段と、同じ探索空間において、第１のＵＥに、スクランブルされた第１のＤＭ−ＲＳを、および第２のＵＥに、スクランブルされた第２のＤＭ−ＲＳを送信するための手段とを含む。
【００２１】
[0021]本開示のある特定の態様は、ワイヤレス通信のための装置を提供する。この装置は、概して、より広いシステム帯域幅内の第１の狭帯域領域上で、基地局（ＢＳ）に物理ランダムアクセスチャネル（ＰＲＡＣＨ）信号を送信するための手段と、ＰＲＡＣＨ信号に応答して、少なくとも第１のサブフレーム中に、第２の狭帯域領域における第１の探索空間においてランダムアクセス応答（ＲＡＲ）メッセージを受信するための手段とを含む。
【００２２】
[0022]本開示のある特定の態様は、ワイヤレス通信のための装置を提供する。この装置は、概して、スクランブリングシーケンス初期化で初期化された第１のスクランブリングシーケンスを用いてスクランブルされた第１の復調基準信号（ＤＭ−ＲＳ）を受信するための手段と、探索空間において、第１のスクランブリングシーケンスを用いてスクランブルされた信号を受信するための手段と、ここにおいて、スクランブリングシーケンス初期化で初期化された第２のスクランブリングシーケンスを用いてスクランブルされた少なくとも第２のＤＭ−ＲＳが、探索空間において送信され、第１のスクランブリングシーケンスを用いて信号を逆スクランブルするための手段とを含む。
【００２３】
[0023]本開示のある特定の態様は、ワイヤレス通信のためのコンピュータ可読媒体を提供する。このコンピュータ可読媒体は、概して、より広いシステム帯域幅内の第１の狭帯域領域上で、第１のユーザ機器（ＵＥ）からの物理ランダムアクセスチャネル（ＰＲＡＣＨ）信号を受信するためのコードと、ＰＲＡＣＨ信号に応答して、少なくとも第１のサブフレーム中に、第２の狭帯域領域における第１の探索空間においてランダムアクセス応答（ＲＡＲ）メッセージを送信するためのコードとを含む。
【００２４】
[0024]本開示のある特定の態様は、ワイヤレス通信のためのコンピュータ可読媒体を提供する。このコンピュータ可読媒体は、概して、スクランブリングシーケンス初期化で初期化された第１のスクランブリングシーケンスを用いて、第１のＵＥへの第１の復調基準信号（ＤＭ−ＲＳ）をスクランブルするためのコードと、スクランブリングシーケンス初期化で初期化された第２のスクランブリングシーケンスを用いて、第２のＵＥへの第２のＤＭ−ＲＳをスクランブルするためのコードと、同じ探索空間において、第１のＵＥに、スクランブルされた第１のＤＭ−ＲＳを、および第２のＵＥに、スクランブルされた第２のＤＭ−ＲＳを送信するためのコードとを含む。
【００２５】
[0025]本開示のある特定の態様は、ワイヤレス通信のためのコンピュータ可読媒体を提供する。このコンピュータ可読媒体は、概して、より広いシステム帯域幅内の第１の狭帯域領域上で、基地局（ＢＳ）に物理ランダムアクセスチャネル（ＰＲＡＣＨ）信号を送信するためのコードと、ＰＲＡＣＨ信号に応答して、少なくとも第１のサブフレーム中に、第２の狭帯域領域における第１の探索空間においてランダムアクセス応答（ＲＡＲ）メッセージを受信するためのコードとを含む。
【００２６】
[0026]本開示のある特定の態様は、ワイヤレス通信のためのコンピュータ可読媒体を提供する。このコンピュータ可読媒体は、概して、スクランブリングシーケンス初期化で初期化された第１のスクランブリングシーケンスを用いてスクランブルされた第１の復調基準信号（ＤＭ−ＲＳ）を受信するためのコードと、探索空間において、第１のスクランブリングシーケンスを用いてスクランブルされた信号を受信するためのコードと、ここにおいて、スクランブリングシーケンス初期化で初期化された第２のスクランブリングシーケンスを用いてスクランブルされた少なくとも第２のＤＭ−ＲＳが、探索空間において送信され、第１のスクランブリングシーケンスを用いて信号を逆スクランブルするためのコードとを含む。
【００２７】
[0027]方法、装置、システム、コンピュータプログラム製品、コンピュータ可読媒体、および処理システムを含む、多数の他の態様が提供される。
【図面の簡単な説明】
【００２８】
[0028]本開示の上述された特徴が詳細に理解されることができるように、上記では簡潔に概要を述べたより詳細な説明が、態様を参照して行われ得、そのいくつかは、添付の図面において例示される。しかしながら、添付の図面は、本開示のある特定の典型的な態様のみを例示しており、したがって、その範囲を限定するものと考えられるべきではないことに留意されたい。というのも、この説明は、同様に効果的な他の態様にも認められ得るものだからである。
【図１】[0029]図１は、本開示のある特定の態様による、例となるワイヤレス通信ネットワークを概念的に例示するブロック図である。
【図２】[0030]図２は、本開示のある特定の態様による、ワイヤレス通信ネットワークにおけるユーザ機器（ＵＥ）と通信状態にある発展型ノードＢ（ｅＮＢ）の例を概念的に例示するブロック図である。
【図３】[0031]図３は、本開示のある特定の態様による、ワイヤレス通信ネットワークで用いる特定の無線アクセス技術（ＲＡＴ）のための例となるフレーム構造を概念的に例示するブロック図である。
【図４】[0032]図４は、本開示のある特定の態様による、通常のサイクリックプレフィクスを有する、ダウンリンクのための例となるサブフレームフォーマットを例示する。
【図５Ａ】[0033]図５Ａは、本開示のある特定の態様による、ＬＴＥのような、広帯域システム内のＭＴＣ共存の例を例示する。
【図５Ｂ】[0033]図５Ｂは、本開示のある特定の態様による、ＬＴＥのような、広帯域システム内のＭＴＣ共存の例を例示する。
【図６】[0034]図６は、本開示のある特定の態様による、ＵＬ狭帯域領域に対するＤＬ狭帯域領域の例示的なマッピングを例示する。
【図７】[0035]図７は、本開示のある特定の態様による、ＢＳによって実行され得るワイヤレス通信のための例示的な動作を例示する。
【図８】[0036]図８は、本開示のある特定の態様による、ＵＥによって実行され得るワイヤレス通信のための例示的な動作を例示する。
【図９】[0037]図９は、本開示のある特定の態様による、ＭＰＤＣＣＨを多重化するための例示的な技法を例示する。
【図１０】[0038]図１０は、本開示のある特定の態様による、例示的なＭＰＤＣＣＨ共通探索空間を例示する。
【図１１】[0039]図１１は、本開示のある特定の態様による、ＢＳによって実行され得るワイヤレス通信のための例示的な動作を例示する。
【図１２】[0040]図１２は、本開示のある特定の態様による、ＵＥによって実行され得るワイヤレス通信のための例示的な動作を例示する。
【図１３】[0041]図１３は、本開示のある特定の態様による、ＢＳによって実行され得るワイヤレス通信のための例示的な動作を例示する。
【図１４】[0042]図１４は、本開示のある特定の態様による、ＵＥによって実行され得るワイヤレス通信のための例示的な動作を例示する。
【図１５】[0043]図１５は、本開示の態様に従って動作するＢＳおよびＵＥの例示的な送信タイムラインを例示する。
【発明の詳細な説明】
【００２９】
[0044]本開示の態様は、低コスト（ＬＣ：low cost）マシンタイプ通信（ＭＴＣ）デバイス、ＬＣ拡張型ＭＴＣ（ｅＭＴＣ）デバイス、等のような、限られた通信リソースを有するデバイスのための拡張されたページングメッセージおよびランダムアクセス応答（ＲＡＲ）メッセージのための技法および装置を提供する。ＭＴＣおよびｅＭＴＣデバイスは、ページングメッセージおよびＲＡＲメッセージを搬送するＭＴＣ物理ダウンリンク制御チャネル（ＭＰＤＣＣＨ）送信を受信し得る。ＭＴＣおよびｅＭＴＣデバイスは、時間および周波数送信リソース（time and frequency transmission resources）の探索空間におけるＭＰＤＣＣＨ候補を復号するように試み得る。ＭＰＤＣＣＨは、共通探索空間（ＣＳＳ：common search spaces）において送信され得る。基地局は、物理ランダムアクセスチャネル（ＰＲＡＣＨ）を送信するときにＵＥによって使用されるサブバンドおよび／または受信するＵＥ（receiving UE)のカバレッジ拡張（ＣＥ）レベルに少なくとも部分的に基づいて選択されたＣＳＳにおいて、ページングおよびＲＡＲメッセージ（paging and RAR messages）を伝達する（conveying）ＭＰＤＣＣＨを送信し得る。ＭＴＣおよびｅＭＴＣデバイスのような、ある特定のデバイスのカバレッジを拡張するために、例えば、同じ情報が複数のサブフレームにわたって送信されるとともに、ある特定の送信が送信のバンドル（a bundle of transmissions）として送られる「バンドリング（bundling）」が利用され得る。
【００３０】
[0045]したがって、以下でより詳細に説明されるように、ここで提示される技法は、最大１５ｄＢまでのＣＥを達成するためにバンドリングされたページングおよびＲＡＲメッセージを、セルが送信し、ＭＴＣデバイスが受信することを可能にし得る。加えて、ここで提示される技法は、ページングとＲＡＲメッセージの間の衝突と呼ばれることがある、セルが１つのサブフレーム中にページングおよびＲＡＲメッセージの両方を送信する必要がある状況において、ページングおよびＲＡＲメッセージを、セルが送信し、ＭＴＣデバイスが受信することを可能にし得る。
【００３１】
[0046]ここで説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク、等のような様々なワイヤレス通信ネットワークのために使用され得る。「ネットワーク」および「システム」という用語は、しばしば交換可能に用いられる。ＣＤＭＡネットワークは、ユニバーサル地上無線アクセス（ＵＴＲＡ）、ｃｄｍａ２０００、等のような無線技術をインプリメントし（implement）得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ）（登録商標）のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等のような無線技術をインプリメントし得る。ＵＴＲＡおよびＥ−ＵＴＲＡは、ユニバーサルモバイルテレコミュニケーションシステム（ＵＭＴＳ）の一部である。周波数分割複信（ＦＤＤ）および時分割複信（ＴＤＤ）の両方において、３ＧＰＰロングタームエボリューション（ＬＴＥ）およびＬＴＥ−アドバンスト（ＬＴＥ−Ａ）は、ダウンリンク上ではＯＦＤＭＡを用い、アップリンク上ではＳＣ−ＦＤＭＡを用いる、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書に記載されている。ｃｄｍａ２０００およびＵＭＢは、「第３世代パートナーシッププロジェクト２」（３ＧＰＰ２）という名称の団体からの文書に記載されている。ここで説明される技法は、上述されたワイヤレスネットワークおよび無線技術、ならびに他のワイヤレスネットワークおよび無線技術のために使用され得る。明瞭さのために、これら技法のある特定の態様は、ＬＴＥ／ＬＴＥ−Ａについて以下で説明され、ＬＴＥ／ＬＴＥ−Ａ用語が、以下の説明の大部分において使用される。ＬＴＥおよびＬＴＥ−Ａは、概して、ＬＴＥと呼ばれる。
【００３２】
[0047]図１は、本開示の態様が実施され得る、基地局（ＢＳ）およびユーザ機器（ＵＥ）を備えた例となるワイヤレス通信ネットワーク１００を例示する。
【００３３】
[0048]例えば、ワイヤレス通信ネットワーク１００におけるある特定のＵＥ（例えば、ＬＣ ＭＴＣ ＵＥ、ＬＣ ｅＭＴＣ ＵＥ、等）に関する１つまたは複数のページングプロシージャの拡張がサポートされ得る。ここで提示される技法に従って、ワイヤレス通信ネットワーク１００におけるＢＳおよび（１つまたは複数の）ＬＣ ＵＥは、ワイヤレス通信ネットワーク１００によってサポートされる利用可能なシステム帯域幅から、（１つまたは複数の）ＬＣ ＵＥが、ワイヤレス通信ネットワーク１００におけるＢＳから送信されたバンドリングされたページングメッセージについて、どの（１つまたは複数の）狭帯域領域をモニタすべきかを決定することが可能であり得る。また、ここで提示される技法に従って、ワイヤレス通信ネットワーク１００におけるＢＳおよび／または（１つまたは複数の）ＬＣ ＵＥは、ワイヤレス通信ネットワーク１００における１つまたは複数のトリガに基づいて、ページングメッセージについてのバンドリングサイズを決定するおよび／または適合することが可能であり得る。
【００３４】
[0049]ワイヤレス通信ネットワーク１００は、ＬＴＥネットワークまたは何らかの他のワイヤレスネットワークであり得る。ワイヤレス通信ネットワーク１００は、多数の発展型ノードＢ（ｅＮＢ）１１０および他のネットワークエンティティを含み得る。ｅＮＢは、ユーザ機器（ＵＥ）と通信するエンティティであり、基地局、ノードＢ、アクセスポイント（ＡＰ）、等とも呼ばれ得る。各ｅＮＢは、特定の地理的エリアに対して通信カバレッジを提供し得る。３ＧＰＰでは、「セル」という用語は、この用語が使用されるコンテキストに応じて、ｅＮＢのカバレッジエリアおよび／またはこのカバレッジエリアにサービス提供するｅＮＢサブシステムを指すことができる。
【００３５】
[0050]ｅＮＢは、マクロセル、ピコセル、フェムトセル、および／または他のタイプのセルに対して通信カバレッジを提供し得る。マクロセルは、比較的大きい地理的エリア（例えば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ）中のＵＥ）による制限付きアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ １１０ａは、マクロセル１０２ａのためのマクロｅＮＢであり得、ｅＮＢ １１０ｂは、ピコセル１０２ｂのためのピコｅＮＢであり得、ｅＮＢ １１０ｃは、フェムトセル１０２ｃのためのフェムトｅＮＢであり得る。ｅＮＢは、１つまたは複数の（例えば、３つの）セルをサポートし得る。「ｅＮＢ」、「基地局」、および「セル」という用語は、ここで交換可能に用いられ得る。
【００３６】
[0051]ワイヤレス通信ネットワーク１００はまた、中継局を含み得る。中継局は、アップストリーム局（例えば、ｅＮＢまたはＵＥ）からのデータの送信を受信し、このデータの送信をダウンストリーム局（例えば、ＵＥまたはｅＮＢ）に送ることができるエンティティである。中継局はまた、他のＵＥに対する送信を中継することができるＵＥであり得る。図１に示される例では、中継（局）ｅＮＢ １１０ｄは、ｅＮＢ １１０ａとＵＥ １２０ｄとの間の通信を容易にするために、マクロｅＮＢ １１０ａおよびＵＥ １２０ｄと通信し得る。中継局は、中継ｅＮＢ、中継基地局、リレー、等とも呼ばれ得る。
【００３７】
[0052]ワイヤレス通信ネットワーク１００は、異なるタイプのｅＮＢ、例えば、マクロｅＮＢ、ピコｅＮＢ、フェムトｅＮＢ、中継ｅＮＢ、等を含む異種ネットワークであり得る。これらの異なるタイプのｅＮＢは、ワイヤレス通信ネットワーク１００において、異なる送信電力レベル、異なるカバレッジエリア、および干渉に対する異なる影響を有し得る。例えば、マクロｅＮＢは、高い送信電力レベル（例えば、５〜４０Ｗ）を有し得、一方、ピコｅＮＢ、フェムトｅＮＢ、および中継ｅＮＢは、より低い送信電力レベル（例えば、０．１〜２Ｗ）を有し得る。
【００３８】
[0053]ネットワークコントローラ１３０が、ｅＮＢのセットに結合し得、これらのｅＮＢに対して調整（coordination）および制御を提供し得る。ネットワークコントローラ１３０は、バックホールを介してこれらｅＮＢと通信し得る。これらｅＮＢはまた、例えば、ワイヤレスまたはワイヤラインバックホールを介して直接的または間接的に、互いに通信し得る。
【００３９】
[0054]ＵＥ １２０（例えば、１２０ａ、１２０ｂ、１２０ｃ）は、ワイヤレス通信ネットワーク１００全体にわたって分散され得、各ＵＥは、固定またはモバイルであり得る。ＵＥは、アクセス端末、端末、モバイル局（ＭＳ）、加入者ユニット、局（ＳＴＡ）、等とも呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブック、ナビゲーションデバイス、ゲーム用デバイス、カメラ、車両用デバイス、ドローン、ロボット／ロボティックデバイス、ウェアラブルデバイス（例えば、スマートウォッチ、スマートクロージング（smart clothing）、スマートリストバンド、スマートリング、スマートブレスレット、スマート眼鏡、仮想現実眼鏡）、医療デバイス、ヘルスケアデバイス、等であり得る。ＭＴＣ ＵＥは、センサ、メータ、モニタ、ロケーションタグ（location tags）、ドローン、トラッカ（trackers）、ロボット／ロボティックデバイス、等のようなデバイスを含む。ＵＥ（例えば、ＭＴＣデバイス）は、すべてのモノのインターネット（ＩｏＥ：internet of everything）またはモノのインターネット（ＩｏＴ：internet of things）（例えば、狭帯域ＩｏＴ（ＮＢ−ＩｏＴ））デバイスとしてインプリメントされ得る。
【００４０】
[0055]ワイヤレス通信ネットワーク１００（例えば、ＬＴＥネットワーク）における１つまたは複数のＵＥ １２０はまた、例えば、ＬＣ ＭＴＣ ＵＥ、ＬＣ ｅＭＴＣ ＵＥ、等のような、低コスト（ＬＣ）、低データレートのデバイスであり得る。ＬＣ ＵＥは、ＬＴＥネットワークにおけるレガシーおよび／またはアドバンストＵＥと共存し得、ワイヤレスネットワークにおける他のＵＥ（例えば、非ＬＣ ＵＥ）と比較して、制限された（limited）１つまたは複数の能力を有し得る。例えば、ＬＴＥネットワークにおけるレガシーおよび／またはアドバンストＵＥと比較して、ＬＣ ＵＥは、次のうちの１つまたは複数とともに（with）動作し得る：（レガシーＵＥと比べて）最大帯域幅の低減、単一の受信無線周波数（ＲＦ）チェーン、ピークレートの低減、送信電力の低減、ランク１送信、半二重動作（half duplex operation）、等。ここで使用される場合、ＭＴＣデバイス、ｅＭＴＣデバイス、等のような、限られた通信リソースを有するデバイスは、概して、ＬＣ ＵＥと呼ばれる。同様に、（例えば、ＬＴＥにおける）レガシーおよび／またはアドバンストＵＥのような、レガシーデバイスは、概して、非ＬＣ ＵＥと呼ばれる。
【００４１】
[0056]図２は、ＢＳ／ｅＮＢ １１０およびＵＥ １２０の設計のブロック図であり、これらは、それぞれ、図１におけるＢＳ／ｅＮＢ １１０のうちの１つおよびＵＥ １２０のうちの１つであり得る。ＢＳ １１０は、Ｔ個のアンテナ２３４ａ〜２３４ｔを装備し得、ＵＥ １２０は、Ｒ個のアンテナ２５２ａ〜２５２ｒを装備し得、ここで、一般に、Ｔ≧１およびＲ≧１である。
【００４２】
[0057]ＢＳ １１０において、送信プロセッサ２２０は、１つまたは複数のＵＥのためにデータソース２１２からデータを受信し、ＵＥから受信されたチャネル品質インジケータ（ＣＱＩ）に基づいて、各ＵＥのために１つまたは複数の変調およびコーディングスキーム（ＭＣＳ）を選択し、各ＵＥのためのデータを、そのＵＥのために選択された（１つまたは複数の）ＭＣＳに基づいて処理（例えば、符号化および変調）し、全てのＵＥに対してデータシンボルを提供し得る。送信プロセッサ２２０はまた、（例えば、半静的リソース分割情報（ＳＲＰＩ：semi-static resource partitioning information）、等についての）システム情報および制御情報（例えば、ＣＱＩ要求、許可（grant）、上位層シグナリング、等）を処理し、オーバヘッドシンボルおよび制御シンボルを提供し得る。プロセッサ２２０はまた、基準信号（例えば、共通基準信号（ＣＲＳ））および同期信号（例えば、プライマリ同期信号（ＰＳＳ）およびセカンダリ同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバヘッドシンボル、および／または基準シンボルに対して空間処理（例えば、プリコーディング）を実行し得、Ｔ個の変調器（ＭＯＤ）２３２ａ〜２３２ｔにＴ個の出力シンボルストリームを提供し得る。各ＭＯＤ ２３２は、（例えば、ＯＦＤＭ、等のために）それぞれの出力シンボルストリームを処理して、出力サンプルストリームを取得し得る。各ＭＯＤ ２３２は、この出力サンプルストリームをさらに処理（例えば、アナログ変換、増幅、フィルタリング、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。
【００４３】
[0058]ＵＥ １２０において、アンテナ２５２ａ〜２５２ｒは、ＢＳ １１０および／または他のＢＳからのダウンリンク信号を受信し得、受信された信号をそれぞれ復調器（ＤＥＭＯＤ）２５４ａ〜２５４ｒに提供し得る。各ＤＥＭＯＤ ２５４は、その受信された信号を調整（例えば、フィルタリング、増幅、ダウンコンバート、およびデジタル化）して、入力サンプルを取得し得る。各ＤＥＭＯＤ ２５４は、（例えば、ＯＦＤＭ、等のために）入力サンプルをさらに処理して、受信されたシンボルを取得し得る。ＭＩＭＯ検出器２５６は、Ｒ個全ての復調器２５４ａ〜２５４ｒから、受信されたシンボルを取得し、適用可能な場合、これら受信されたシンボルに対してＭＩＭＯ検出を実行し、検出されたシンボルを提供し得る。受信プロセッサ２５８は、検出されたシンボルを処理（例えば、復調および復号）し、ＵＥ １２０のための復号されたデータをデータシンク２６０に提供し、復号された制御情報およびシステム情報をコントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、ＣＱＩ、等を決定し得る。
【００４４】
[0059]アップリンク上では、ＵＥ １２０において、送信プロセッサ２６４が、データソース２６２からのデータおよびコントローラ／プロセッサ２８０からの（例えば、ＲＳＲＰ、ＲＳＳＩ、ＲＳＲＱ、ＣＱＩ、等を備える報告のための）制御情報を受信し、処理し得る。プロセッサ２６４はまた、１つまたは複数の基準信号のための基準シンボルを生成し得る。送信プロセッサ２６４からのシンボルは、適用可能な場合、ＴＸ ＭＩＭＯプロセッサ２６６によってプリコーディングされ、（例えば、ＳＣ−ＦＤＭ、ＯＦＤＭ、等のために）ＭＯＤ ２５４ａ〜２５４ｒによってさらに処理され、ＢＳ １１０に送信され得る。ＢＳ １１０において、ＵＥ １２０および他のＵＥからのアップリンク信号は、アンテナ２３４によって受信され、ＤＥＭＯＤ ２３２によって処理され、適用可能な場合、ＭＩＭＯ検出器２３６によって検出され、受信プロセッサ２３８によってさらに処理されて、ＵＥ １２０によって送られた、復号されたデータおよび制御情報が取得され得る。プロセッサ２３８は、復号されたデータをデータシンク２３９に提供し、復号された制御情報をコントローラ／プロセッサ２４０に提供し得る。ＢＳ １１０は、通信ユニット２４４を含み、通信ユニット２４４を介してネットワークコントローラ１３０へ通信し得る。ネットワークコントローラ１３０は、通信ユニット２９４、コントローラ／プロセッサ２９０、およびメモリ２９２を含み得る。
【００４５】
[0060]コントローラ／プロセッサ２４０および２８０は、それぞれＢＳ １１０およびＵＥ １２０における動作を指示し得る。例えば、ＢＳ １１０におけるコントローラ／プロセッサ２４０および／または他のプロセッサおよびモジュールは、図７、図１１、図１３に例示される動作、および／またはここで説明される技法のための他のプロセスを実行または指示し得る。同様に、ＵＥ １２０におけるコントローラ／プロセッサ２８０および／または他のプロセッサおよびモジュールは、図８、図１２、図１４に例示される動作、および／またはここで説明される技法のためのプロセスを実行または指示し得る。メモリ２４２および２８２は、それぞれＢＳ １１０およびＵＥ １２０のためのデータおよびプログラムコードを記憶し得る。スケジューラ２４６は、ダウンリンクおよび／またはアップリンク上でのデータ送信のためにＵＥをスケジューリングし得る。
【００４６】
[0061]図３は、ＬＴＥにおけるＦＤＤのための例示的なフレーム構造３００を示す。ダウンリンクおよびアップリンクの各々についての送信タイムラインは、無線フレームの単位に分割され得る。各無線フレームは、所定の持続時間（例えば、１０ミリ秒（ｍｓ））を有し得、０〜９のインデックスをもつ１０個のサブフレームに分割され得る。各サブフレームは、２つのスロットを含み得る。したがって、各無線フレームは、０〜１９のインデックスをもつ２０個のスロットを含み得る。各スロットは、Ｌ個のシンボル期間、例えば、（図３に示されるような）通常のサイクリックプレフィクスの場合は７個のシンボル期間、または拡張されたサイクリックプレフィクスの場合は６個のシンボル期間を含み得る。各サブフレームにおける２Ｌ個のシンボル期間は、０〜２Ｌ−１のインデックスを割り当てられ得る。
【００４７】
[0062]ＬＴＥでは、ｅＮＢは、ｅＮＢによってサポートされるセルごとに、システム帯域幅の中心１．０８ＭＨｚにおけるダウンリンク上でプライマリ同期信号（ＰＳＳ）およびセカンダリ同期信号（ＳＳＳ）を送信し得る。ＰＳＳおよびＳＳＳは、図３に示されるように、通常のサイクリックプレフィクスを有する各無線フレームのサブフレーム０および５における、それぞれ、シンボル期間６および５において送信され得る。ＰＳＳおよびＳＳＳは、セルの探索および獲得（cell search and acquisition）のためにＵＥによって使用され得る。ｅＮＢは、ｅＮＢによってサポートされるセルごとに、システム帯域幅にわたってセル固有基準信号（ＣＲＳ）を送信し得る。ＣＲＳは、各サブフレームのある特定のシンボル期間において送信され得、チャネル推定、チャネル品質測定、および／または他の機能を実行するためにＵＥによって使用され得る。ｅＮＢはまた、ある特定の無線フレームのスロット１におけるシンボル期間０〜３において、物理ブロードキャストチャネル（ＰＢＣＨ）を送信し得る。ＰＢＣＨは、何らかのシステム情報を搬送し得る。ｅＮＢは、ある特定のサブフレームにおける物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間における物理ダウンリンク制御チャネル（ＰＤＣＣＨ）上で制御情報／データを送信し得、ここで、Ｂは、サブフレームごとに設定可能（configurable）であり得る。ｅＮＢは、各サブフレームの残りのシンボル期間におけるＰＤＳＣＨ上でトラフィックデータおよび／または他のデータを送信し得る。
【００４８】
[0063]ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１で説明されており、これは公に入手可能である。
【００４９】
[0064]図４は、通常のサイクリックプレフィクスを有する、ダウンリンクのための２つの例となるサブフレームフォーマット４１０および４２０を示す。ダウンリンクについての利用可能な時間周波数リソースは、複数のリソースブロックに分割されうる。各リソースブロックは、１つのスロットにおいて１２個のサブキャリアをカバーし得、多数のリソースエレメントを含み得る。各リソースエレメントは、１つのシンボル期間において１つのサブキャリアをカバーし得、１つの変調シンボルを送るために使用され得、それは、実数値または複素数値であり得る。
【００５０】
[0065]サブフレームフォーマット４１０は、２つのアンテナを装備したｅＮＢに対して使用され得る。ＣＲＳは、シンボル期間０、４、７、および１１において、アンテナ０および１から送信され得る。基準信号は、送信機および受信機によってアプリオリに知られている信号であり、パイロットとも呼ばれ得る。ＣＲＳは、例えば、セル識別（ＩＤ）に基づいて生成される、セルに固有の基準信号である。図４では、ラベルＲａを有する所与のリソースエレメントについては、アンテナａから、このリソースエレメント上で変調シンボルが送信され得、他のアンテナからは、何れの変調シンボルもこのリソースエレメント上では送信され得ない。サブフレームフォーマット４２０は、４つのアンテナを装備したｅＮＢのために使用され得る。ＣＲＳは、シンボル期間０、４、７、および１１においてアンテナ０および１から、およびシンボル期間１および８においてアンテナ２および３から送信され得る。サブフレームフォーマット４１０および４２０の両方について、ＣＲＳは、均等に間隔が空けられたサブキャリア上で送信され得、それは、セルＩＤに基づいて決定され得る。異なるｅＮＢは、それらのＣＲＳを、それらのセルＩＤに依存して、同じまたは異なるサブキャリア上で送信し得る。サブフレームフォーマット４１０および４２０の両方について、ＣＲＳのために使用されないリソースエレメントは、データ（例えば、トラフィックデータ、制御データ、および／または他のデータ）を送信するために使用され得る。
【００５１】
[0066]インタレース構造が、ＬＴＥにおけるＦＤＤについてのダウンリンクおよびアップリンクの各々のために使用され得る。例えば、０〜Ｑ−１のインデックスをもつＱ個のインタレースが定義され得、ここで、Ｑは、４、６、８、１０、または何らかの他の値に等しくなり得る。各インタレースは、Ｑ個のフレーム分だけ間隔を置かれたサブフレームを含み得る。具体的には、インタレースｑは、サブフレームｑ、ｑ＋Ｑ、ｑ＋２Ｑ、等を含み得、ここで、ｑ∈｛０，．．．，Ｑ−１｝である。
【００５２】
[0067]ワイヤレスネットワークは、ダウンリンクおよびアップリンク上でのデータ送信のために、ハイブリッド自動再送要求（ＨＡＲＱ）をサポートし得る。ＨＡＲＱの場合、送信機（例えば、ｅＮＢ １１０）は、パケットが受信機（例えば、ＵＥ １２０）によって正しく復号されるか、または何らかの他の終了条件が発生するまで、このパケットの１つまたは複数の送信を送り得る。同期ＨＡＲＱの場合、パケットの全ての送信が、単一のインタレースのサブフレーム中に送られ得る。非同期ＨＡＲＱの場合、パケットの各送信は、任意のサブフレーム中に送られ得る。
【００５３】
[0068]１つのＵＥが、複数のｅＮＢのカバレッジ内に位置し得る。これらのｅＮＢのうちの１つが、ＵＥにサービス提供するために選択され得る。サービングｅＮＢは、受信信号強度、受信信号品質、経路損失、等のような様々な基準に基づいて選択され得る。受信信号品質は、信号対干渉プラス雑音比（ＳＩＮＲ）、または基準信号受信品質（ＲＳＲＱ）、または何らかの他の測定基準（metric）によって定量化され得る。ＵＥは、このＵＥが１つまたは複数の干渉するｅＮＢからの高い干渉を観測し得る支配的な干渉シナリオにおいて動作し得る。
【００５４】
[0069]上述されたように、ワイヤレス通信ネットワーク（例えば、ワイヤレス通信ネットワーク１００）における１つまたは複数のＵＥは、ワイヤレス通信ネットワークにおける他の（非ＬＣ）デバイスと比較して、ＬＣ ＵＥのような、限られた通信リソースを有するデバイスであり得る。
【００５５】
[0070]いくつかのシステムにおいて、例えば、ＬＴＥ Ｒｅｌ−１３および他のリリースでは、ＬＣ ＵＥは、利用可能なシステム帯域幅内の（例えば、１個以下のリソースブロック（ＲＢ）または６個以下のＲＢの）特定の狭帯域割当てに制限され得る。しかしながら、ＬＣ ＵＥは、ＬＴＥシステム内で共存するために、例えば、ＬＴＥシステムの利用可能なシステム帯域幅内の異なる狭帯域領域に再チューニングする（re-tune）（例えば、動作するおよび／またはキャンプする（camp））ことが可能であり得る。
【００５６】
[0071]ＬＴＥシステム内の共存の別の例として、ＬＣ ＵＥは、レガシー物理ブロードキャストチャネル（ＰＢＣＨ）（例えば、一般に、セルへの初期アクセスのために使用され得るパラメータを搬送するＬＴＥ物理チャネル）を（繰り返しとともに（with repetition））受信し、１つまたは複数のレガシー物理ランダムアクセスチャネル（ＰＲＡＣＨ）フォーマットをサポートすることが可能であり得る。例えば、ＬＣ ＵＥは、複数のサブフレームにわたるＰＢＣＨの１つまたは複数の追加の繰り返しとともに、レガシーＰＢＣＨを受信することが可能であり得る。別の例として、ＬＣ ＵＥは、ＬＴＥシステムにおけるｅＮＢに（例えば、サポートされる１つまたは複数のＰＲＡＣＨフォーマットで（with））ＰＲＡＣＨの１つまたは複数の繰り返しを送信することが可能であり得る。ＰＲＡＣＨは、ＬＣ ＵＥを識別するために使用され得る。また、繰り返されるＰＲＡＣＨの試みの数が、ｅＮＢによって設定され（configured）得る。
【００５７】
[0072]ＬＣ ＵＥはまた、リンクバジェットが制限されたデバイスであり得、そのリンクバジェット制限に基づいて、（例えば、ＬＣ ＵＥへまたはＬＣ ＵＥから送信される異なる量の繰り返されるメッセージを必然的に伴う（entailing））異なる動作モードで動作し得る。例えば、いくつかのケースでは、ＬＣ ＵＥは、繰り返しがほとんどまたは全くない通常のカバレッジモードで動作し得る（例えば、ＵＥがメッセージを成功裡に受信および／または送信するために必要とされる繰り返しの量は低くなり得るか、または繰り返しは必要とさえされないことがあり得る。）代替として、いくつかのケースでは、ＬＣ ＵＥは、高い量の繰り返しが存在し得るカバレッジ拡張（ＣＥ）モードで動作し得る。例えば、３２８ビットのペイロードについて、ＣＥモードにあるＬＣ ＵＥは、ペイロードを成功裡に受信するために、ペイロードの１５０回以上の繰り返しを必要とし得る。
【００５８】
[0073]いくつかのケースでは、例えば、ＬＴＥ Ｒｅｌ−１３についても、ＬＣ ＵＥは、ブロードキャストおよびユニキャスト送信のその受信に関して、制限された能力を有し得る。例えば、ＬＣ ＵＥによって受信されるブロードキャスト送信についての最大トランスポートブロック（ＴＢ）サイズは、１０００ビットに制限され得る。加えて、いくつかのケースでは、ＬＣ ＵＥは、１つのサブフレーム中に１つよりも多くのユニキャストＴＢを受信することができないことがある。いくつかのケースでは（例えば、上記で説明されたＣＥモードおよび通常モードの両方について）、ＬＣ ＵＥは、１つのサブフレーム中に１つよりも多くのブロードキャストＴＢを受信することができないことがある。さらに、いくつかのケースでは、ＬＣ ＵＥは、１つのサブフレーム中にユニキャストＴＢおよびブロードキャストＴＢの両方を受信することができないことがある。
【００５９】
[0074]ＭＴＣについて、ＬＴＥシステムにおいて共存するＬＣ ＵＥはまた、ページング、ランダムアクセスプロシージャ、等のような、ある特定のプロシージャのための新しいメッセージ（例えば、これらのプロシージャのためにＬＴＥにおいて使用される従来のメッセージとは対照的なものである）をサポートし得る。言い換えれば、ページング、ランダムアクセスプロシージャ、等のためのこれらの新しいメッセージは、非ＬＣ ＵＥに関連付けられた同様のプロシージャのために使用されるメッセージとは別個であり得る。例えば、ＬＴＥにおいて使用される従来のページングメッセージと比較して、ＬＣ ＵＥは、非ＬＣ ＵＥがモニタおよび／または受信することができないことがあるページングメッセージをモニタおよび／または受信することが可能であり得る。同様に、従来のランダムアクセスプロシージャにおいて使用される従来のランダムアクセス応答（ＲＡＲ）メッセージと比較して、ＬＣ ＵＥは、それもまた非ＬＣ ＵＥによって受信されることができないことがあるＲＡＲメッセージを受信することが可能であり得る。ＬＣ ＵＥに関連付けられた新しいページングおよびＲＡＲメッセージはまた、１回または複数回繰り返され得る（例えば、「バンドリングされる」）。加えて、新しいメッセージについての異なる繰り返し数（例えば、異なるバンドリングサイズ）が、サポートされ得る。
【００６０】
[0075]上述されたように、ＭＴＣおよび／またはｅＭＴＣ動作は、（例えば、ＬＴＥまたは何らかの他のＲＡＴとの共存において）ワイヤレス通信ネットワークにおいてサポートされ得る。例えば、図５Ａおよび図５Ｂは、どのようにＭＴＣ動作中のＭＴＣ ＵＥが、ＬＴＥのような広帯域システム内で共存し得るかの例を例示する。
【００６１】
[0076]図５Ａの例となるフレーム構造において例示されるように、ＭＴＣおよび／またはｅＭＴＣ動作に関連付けられたサブフレーム５１０は、ＬＴＥ（または何らかの他のＲＡＴ）に関連付けられた通常のサブフレーム（regular subframes）５２０と時分割多重化（ＴＤＭ）され得る。
【００６２】
[0077]追加または代替として、図５Ｂの例となるフレーム構造において例示されるように、ＭＴＣ中のＬＣ ＵＥによって使用される１つまたは複数の狭帯域領域５６０、５６２は、ＬＴＥによってサポートされるより広い帯域幅５５０内で周波数分割多重化され得る。各狭帯域領域が、合計で６個以下のＲＢの帯域幅に広がる（spanning）、複数の狭帯域領域が、ＭＴＣおよび／またはｅＭＴＣ動作のためにサポートされ得る。いくつかのケースでは、ＭＴＣ動作中の各ＬＣ ＵＥは、一度に（at a time）１つの狭帯域領域内で（例えば、１．４ＭＨｚまたは６個のＲＢにおいて）動作し得る。しかしながら、ＭＴＣ動作中のＬＣ ＵＥは、任意の所与の時点において、より広いシステム帯域幅における他の狭帯域領域に再チューニング（re-tune）し得る。いくつかの例では、複数のＬＣ ＵＥは、同じ狭帯域領域によってサービス提供され得る。他の例では、複数のＬＣ ＵＥは、（例えば、各狭帯域領域が、６個のＲＢに広がる）異なる狭帯域領域によってサービス提供され得る。なお他の例では、ＬＣ ＵＥの異なる組合せが、１つまたは複数の同じ狭帯域領域、および／または、１つまたは複数の異なる狭帯域領域によってサービス提供され得る。
【００６３】
[0078]これらＬＣ ＵＥは、様々な異なる動作のために、狭帯域領域内で動作（例えば、モニタ／受信／送信）し得る。例えば、図５Ｂに示されるように、サブフレーム５５２の第１の狭帯域領域５６０（例えば、広帯域データの６個以下のＲＢに広がる）は、ワイヤレス通信ネットワークにおけるＢＳからのページング送信、またはＰＳＳ、ＳＳＳ、ＰＢＣＨ、ＭＴＣシグナリングのいずれかについて、１つまたは複数のＬＣ ＵＥによってモニタされ得る。また、図５Ｂに示されるように、サブフレーム５５４の第２の狭帯域領域５６２（例えば、同様に、広帯域データの６個以下のＲＢに広がる）は、ＢＳから受信されるシグナリングにおいて予め設定された（previously configured）データまたはＲＡＣＨを送信するために、ＬＣ ＵＥによって使用され得る。いくつかのケースでは、第２の狭帯域領域は、第１の狭帯域領域を利用したのと同じＬＣ ＵＥによって利用され得る（例えば、ＬＣ ＵＥは、第１の狭帯域領域においてモニタした後、送信するために第２の狭帯域領域に再チューニングし得る）。いくつかのケースでは（図示されていないが）、第２の狭帯域領域は、第１の狭帯域領域を利用したＬＣ ＵＥとは異なるＬＣ ＵＥによって利用され得る。
【００６４】
[0079]ここで説明される例は、６個のＲＢの狭帯域を仮定しているが、当業者であれば、ここで提示される技法はまた、異なるサイズの狭帯域領域（例えば、ＮＢ−ＩｏＴによってサポートされる１個のＲＢ）にも適用され得ることを認識するであろう。
【００６５】
[0080]上述されたように、例えば、ＬＴＥ Ｒｅｌ−１２のような、ある特定のシステムでは、ＭＴＣ（例えば、ｅＭＴＣ）のための狭帯域動作がサポートされ得る。ＭＴＣのための狭帯域動作をサポートするセルは、ダウンリンク（ＤＬ）およびアップリンク（ＵＬ）動作について異なるシステム帯域幅を有し得る。異なるＤＬおよびＵＬシステム帯域幅（ＳＢ）を有するセルは、ＵＬシステム帯域幅を複数の狭帯域領域に編成する（organize）ために使用される方法とは異なる方法で、ＤＬシステム帯域幅を複数の狭帯域領域に編成し得る。したがって、本開示の態様は、ＤＬシステム帯域幅およびＵＬシステム帯域幅を複数の狭帯域領域に編成するための技法を提供する。
【００６６】
[0081]レガシーＵＥおよびＭＴＣのための狭帯域動作をサポートするセルは、レガシーＵＥからレガシーＰＵＣＣＨ送信を受信し得る。レガシーＰＵＣＣＨ送信は、セルのＵＬシステム帯域幅の、いずれか一方のまたは両方のエッジにおいて送信され得る。したがって、本開示の態様は、レガシーＰＵＣＣＨ送信による使用のために、ＵＬ狭帯域領域に含まれる送信リソースをリザーブする（reserve）ための技法を提供する。同様のリザベーションがまた、他のレガシーＤＬ信号またはチャネルによる使用のために、ＤＬ狭帯域領域に適用され得る。
【００６７】
[0082]ＭＴＣのための狭帯域動作をサポートするセルはまた、サウンディング基準信号（ＳＲＳ：sounding reference signals）の送信をサポートし得る。ＳＲＳの送信についての現在の最小の定義された帯域幅は、４個のＲＢである。しかしながら、上述されたように、狭帯域領域の帯域幅は、６個のＲＢである。６個のＲＢが４個のＲＢで割り切れないという事実は、６個のＲＢベースの狭帯域動作において、４個のＲＢを使用するＳＲＳ送信を管理することにおけるチャレンジを提示する。したがって、本開示の態様は、（例えば、ＭＴＣのための）狭帯域動作をサポートするセルにおいて、ＳＲＳの送信のために送信リソースを割り当てるための技法を提供する。
【００６８】
[0083]ＦＤＤを用いて動作するセルは、セルのＵＬシステム帯域幅とは異なるサイズのものであるＤＬシステム帯域幅を有し得る。例えば、セルは、１０ＭＨｚのシステム帯域幅においてＤＬ動作を、および５ＭＨｚのシステム帯域幅においてＵＬ動作を実行し得る。ＭＴＣ動作およびＭＴＣ ＵＥをサポートするために、セルは、ＤＬシステム帯域幅およびＵＬシステム帯域幅を複数の狭帯域領域に、または複数の狭帯域領域を編成し得る。セルを制御するｅＮＢまたは他のＢＳは、ＭＴＣ ＵＥがｅＮＢからの信号をモニタすべきＤＬ狭帯域領域をＭＴＣ ＵＥに割り当て得る。同様に、ｅＮＢ（または他のＢＳ）は、ＵＬ信号を送信するときに使用するために、ＭＴＣのためにＭＴＣ ＵＥにＵＬ狭帯域領域を割り当て得る。この例では、セルは、ＤＬシステム帯域幅を８つのＤＬ狭帯域領域に編成するとともに、ＵＬシステム帯域幅を４つのＵＬ狭帯域領域に編成し得る。
【００６９】
[0084]ＢＳ（例えば、ｅＮＢまたはセル）が、複数の狭帯域領域に編成されたセルのＤＬシステム帯域幅およびＵＬシステム帯域幅を用いてＭＴＣ ＵＥをサポートするとき、ＢＳは、ＭＴＣ ＵＥにＤＬ狭帯域領域を割り当てることが、そのＭＴＣ ＵＥに対するＵＬ狭帯域領域の割り当てを暗に示すように、ＤＬ狭帯域領域とＵＬ狭帯域領域との間のマッピングを確立し得る。マッピングを有することは、ＢＳが、セルにおけるリソースのスケジューリングを単純化することを可能にし、例えば、ＢＳは、対応するＵＬ狭帯域領域上で、ＭＴＣ ＵＥへのＤＬ狭帯域領域上の送信に対するＡＣＫ／ＮＡＣＫを予期することができる。同様に、ＭＴＣ ＵＥは、ＭＴＣ ＵＥに対して割り当てられたＤＬ狭帯域領域上のＤＬ送信をモニタし、対応するＵＬ狭帯域領域上での送信で応答する。
【００７０】
[0085]本開示の態様によると、ＢＳによってＵＬおよびＤＬ狭帯域領域をマッピングするための技法が提供される。ＢＳは、ＢＳによってサポートされるＵＬシステム帯域幅およびＤＬシステム帯域幅の最小サイズを決定し、決定されたサイズに編成されることができる狭帯域領域の数を決定し、その後、ＤＬシステム帯域幅およびＵＬシステム帯域幅の両方を、その数の狭帯域領域に編成し得る。その後、ＢＳは、各ＤＬ狭帯域領域を１つのＵＬ狭帯域領域にマッピングし得る。例えば、セルは、１０ＭＨｚのシステム帯域幅においてＤＬ動作を、および５ＭＨｚのシステム帯域幅においてＵＬ動作を実行し得る。この例では、ＢＳは、ＵＬシステム帯域幅およびＤＬシステム帯域幅の最小サイズが５ＭＨｚであることを決定し、その後、ＢＳが５ＭＨｚのシステム帯域幅において４つの狭帯域領域を編成することができることを決定し得る。なおこの例では、その後、ＢＳは、ＤＬシステム帯域幅において４つのＤＬ狭帯域領域およびＵＬシステム帯域幅において４つのＵＬ狭帯域領域を編成し、各ＤＬ狭帯域領域を１つのＵＬ狭帯域領域にマッピングし得る。
【００７１】
[0086]図６は、上記で説明されたような、ＵＬ狭帯域領域に対するＤＬ狭帯域領域の例示的なマッピング６００を例示する。このようなマッピングは、図１におけるｅＮＢ １１０ａによって用いられ得る。図６は、ＤＬシステム帯域幅６１０およびＵＬシステム帯域幅６５０を、一見同じ周波数範囲にあるように示しているが、ＤＬシステム帯域幅およびＵＬシステム帯域幅は、ＦＤＤを使用するセルにおいて異なる周波数範囲にある。ＤＬシステム帯域幅６１０は、１０ＭＨｚまたは５０個のＲＢ幅（wide）であり、ＵＬシステム帯域幅６５０は、５ＭＨｚまたは２５個のＲＢ幅である。ＤＬシステム帯域幅６１０およびＵＬシステム帯域幅６５０を動作しながら（while operating）ＭＴＣ ＵＥをサポートするＢＳは、ＵＬシステム帯域幅６５０が、ＤＬシステム帯域幅６１０よりも小さいことを決定し得る（ＵＬシステム帯域幅６５０の５ＭＨｚサイズは、ＵＬシステム帯域幅６５０およびＤＬシステム帯域幅６１０の最小サイズである）。その後、ＢＳは、ＢＳが、ＵＬシステム帯域幅６５０から４つの狭帯域領域６５２、６５４、６５６、および６５８を編成することができることを決定し得る。その後、ＢＳは、ＤＬシステム帯域幅から４つの狭帯域領域を編成することを決定し、ＤＬシステム帯域幅からＤＬ狭帯域領域６１２、６１４、６１６、および６１８を編成し得る。その後、ＢＳは、ＤＬ狭帯域領域６１２をＵＬ狭帯域領域６５２に、ＤＬ狭帯域領域６１４をＵＬ狭帯域領域６５４に、ＤＬ狭帯域領域６１６をＵＬ狭帯域領域６５６に、およびＤＬ狭帯域領域６１８をＵＬ狭帯域領域６５８にマッピングし得る。
【００７２】
[0087]上述されたように、ＬＣ ＭＴＣ ＵＥは、ＬＴＥ Ｒｅｌ−１２において導入された。追加の拡張が、ｅＭＴＣ動作をサポートするために、ＬＴＥリリース１３（Ｒｅｌ−１３）において行われ得る。例えば、ＭＴＣ ＵＥは、より広いシステム帯域幅（例えば、１．４ＭＨｚ、３ＭＨｚ、５ＭＨｚ、１０ＭＨｚ、１５ＭＨｚ、２０ＭＨｚ）内の１．４ＭＨｚまたは６個のＲＢの狭帯域領域において動作（例えば、モニタ、送信、および受信）することが可能であり得る。第２の例として、基地局およびＭＴＣ ＵＥは、いくつかの技法、例えば、バンドリングによって、最大１５ｄＢまでのカバレッジ拡張（ＣＥ）をサポートし得る。カバレッジ拡張はまた、カバレッジ拡大（coverage extension）およびレンジ拡大（range extension）とも呼ばれ得る。
【００７３】
[0088]ＬＴＥ Ｒｅｌ−１３において行われ得る他の拡張は、ＭＴＣ ＵＥにページングするために、狭帯域におけるＭＴＣ物理ダウンリンク制御チャネル（ＭＰＤＣＣＨ）においてページング信号を送信する基地局を含み得る。ＭＰＤＣＣＨは、複数のＭＴＣ ＵＥのためのページング信号と、１つまたは複数の他のＭＴＣ ＵＥに対するダウンリンク制御情報（ＤＣＩ）とを伝達し得る。ＭＰＤＣＣＨは、上記で説明されたＰＤＣＣＨ／ＥＰＤＣＣＨに類似し得る。復調基準信号（ＤＭ−ＲＳ）ベースの復調が、ＭＰＤＣＣＨを使用するときに、サポートされ得る。すなわち、ＭＰＤＣＣＨを送信するＢＳは、ＭＰＤＣＣＨとともに（with）ＤＭ−ＲＳを送信し得る。ＭＰＤＣＣＨおよびＤＭ−ＲＳを受信するＵＥは、ＤＭ−ＲＳに基づいてＭＰＤＣＣＨを復調し得る。
【００７４】
[0089]ＬＴＥ Ｒｅｌ−１３において行われ得る拡張はまた、ＭＴＣ ＵＥからの物理ランダムアクセスチャネル（ＰＲＡＣＨ）信号に応答するために、狭帯域におけるＭＰＤＣＣＨにおいてランダムアクセス応答（ＲＡＲ）信号を送信するＢＳを含み得る。ＢＳは、ＭＰＤＣＣＨにおいてＤＣＩ中で単一のＲＡＲメッセージ、またはＤＣＩなしのＭＰＤＣＣＨにおいて（例えば、複数のＵＥに応答するために）複数のＲＡＲメッセージを送り得る。
【００７５】
[0090]（例えば、受信機がパワーダウンされていない）アクティブな受信機を有するＵＥは、典型的に、１つまたは複数の探索空間においてＰＤＣＣＨ（例えば、ＥＰＤＣＣＨ、ＭＰＤＣＣＨ）をモニタする。ＵＥは、典型的に、少なくとも１つの共通探索空間をモニタし、ＵＥ固有探索空間をモニタするように構成され得る。探索空間は、連続した制御チャネル要素（ＣＣＥ）のグループのセットを含む。ＵＥは、探索空間におけるグループのうちの任意の１つが、ＵＥに向けられたＰＤＣＣＨを含むかどうかを決定する際に、ＵＥの識別子（例えば、無線ネットワーク一時識別子（ＲＮＴＩ））を使用する。ＰＤＣＣＨをモニタすることは、３ＧＰＰ ＴＳ ３６．２１３「Evolved Universal Terrestrial Radio Access (E-UTRA); Physical layer procedures」においてさらに説明されており、これは、公に入手可能であり、参照により本明細書に組み込まれる。
【００７６】
[0091]図７は、上記で説明された本開示の態様による、ＢＳ（例えば、図１におけるｅノードＢ １１０ａ）によって実行され得るワイヤレス通信のための例となる動作７００を例示する。動作７００は、ＭＴＣ ＵＥをサポートするためにＢＳによって実行され得、以下の図９−図１０において例示される例示的な技法のうちの１つを使用し得る。
【００７７】
[0092]動作７００は、ブロック７０２において開始し、ここで、ＢＳは、より広いシステム帯域幅内の第１の狭帯域領域上で、第１のユーザ機器（ＵＥ）からの物理ランダムアクセスチャネル（ＰＲＡＣＨ）信号を受信する。動作７００は、ブロック７０４において継続し、ここで、ＢＳは、ＰＲＡＣＨ信号に応答して、少なくとも第１のサブフレーム中に、第２の狭帯域領域における第１の探索空間においてランダムアクセス応答（ＲＡＲ）メッセージを送信する。
【００７８】
[0093]本開示の態様によると、ＢＳ（例えば、図７で述べられるＢＳ）は、第３の狭帯域領域における第２の探索空間においてページング信号を送信し得る。すなわち、ＢＳは、ＰＲＡＣＨおよびＲＡＲメッセージのために使用される狭帯域領域以外の狭帯域領域においてページング信号を送信し得る。
【００７９】
[0094]本開示の態様によると、ＢＳ（例えば、図７で述べられるＢＳ）は、第１のＵＥとは異なるカバレッジ拡張（ＣＥ）レベルを有する第２のＵＥにＲＡＲメッセージを送信するための第４の狭帯域領域における第３の探索空間を識別し得る。ＢＳはまた、システム情報ブロック（ＳＩＢ）において、第１の探索空間についての第１のＣＥレベルおよび第１の探索空間に関する情報を送信し、このＳＩＢまたは別のＳＩＢのうちの少なくとも１つにおいて、第３の探索空間についての第２のＣＥレベルおよび第３の探索空間に関する情報を送信し得る。すなわち、ＢＳは、１つまたは複数のＳＩＢにおいて、ＣＥレベルおよび探索空間に関する情報を送信し得る。
【００８０】
[0095]本開示の態様によると、ＢＳ（例えば、図７で述べられるＢＳ）は、ＳＩＢにおいて第１の探索空間に関する情報を送信し得る。例えば、ＣＥレベル間を区別しないＢＳは、ＳＩＢにおいて探索空間に関する情報をブロードキャストし得る。
【００８１】
[0096]本開示の態様によると、ＢＳ（例えば、図７で述べられるＢＳ）は、複数のカバレッジ拡張（ＣＥ）レベルの各々について、ＲＡＲ応答ウィンドウ、マシンタイプ通信（ＭＴＣ）物理ダウンリンク制御チャネル（ＭＰＤＣＣＨ）開始点サブフレーム（starting point subframes）のセット、サブフレームのＲＡＲオフセット数、およびバンドルサイズを決定し得る。すなわち、ＢＳは、異なるＣＥレベルについて、異なるＲＡＲ応答ウィンドウ、ＭＰＤＣＣＨ開始点サブフレーム、ＲＡＲオフセット数、およびバンドルサイズを使用し得、ＢＳは、異なるＣＥレベルについて、これらの様々なＲＡＲ応答ウィンドウ、ＭＰＤＣＣＨ開始点サブフレーム、ＲＡＲオフセット数、およびバンドルサイズを決定し得る。
【００８２】
[0097]本開示の態様によると、ＢＳ（例えば、図７で述べられるＢＳ）は、ＢＳによってサポートされる最大カバレッジ拡張（ＣＥ）レベルに少なくとも基づいて、ページングのための無線周波数、ページングのための時間、ページングのためのバンドルサイズ、およびモニタリング候補のセットを決定し得る。
【００８３】
[0098]本開示の態様によると、ＢＳ（例えば、図７で述べられるＢＳ）は、少なくとも第２のサブフレーム中に、第１のＵＥに専用チャネルを送信することを控え、少なくとも第２のサブフレーム中に、より広いシステム帯域幅のブロードキャストチャネルにおいて、少なくとも１つのシステム情報（ＳＩ）変更または地震津波警報システム（ＥＴＷＳ：earthquake and tsunami warning system）信号を送信し得る。
【００８４】
[0099]図８は、本開示の態様による、ＵＥ（例えば、図１におけるＵＥ １２０ａ）によって実行され得るワイヤレス通信のための例となる動作８００を例示する。動作８００は、例えば、ＭＴＣ ＵＥによって実行され得、以下の図９−図１０において例示される例示的な技法のうちの１つを使用し得る。動作８００は、上記で説明された図７における動作７００と相補的であると考えられ得る。
【００８５】
[0100]動作８００は、ブロック８０２において開始し、ここで、ＵＥは、より広いシステム帯域幅内の第１の狭帯域領域上で、基地局（ＢＳ）に物理ランダムアクセスチャネル（ＰＲＡＣＨ）信号を送信する。動作８００は、ブロック８０４において継続し、ここで、ＵＥは、ＰＲＡＣＨ信号に応答して、少なくとも第１のサブフレーム中に、第２の狭帯域領域における第１の探索空間においてランダムアクセス応答（ＲＡＲ）メッセージを受信する。
【００８６】
[0101]本開示の態様によると、ＭＴＣ ＵＥは、より広いシステム帯域幅の狭帯域領域内のＭＰＤＣＣＨ共通探索空間（例えば、上記のブロック８０４で述べられた第１の探索空間）を用いて構成（configured with）され得る。ＭＴＣ ＵＥにサービス提供するＢＳは、より広いシステム帯域幅の狭帯域領域内のＭＰＤＣＣＨ共通探索空間（例えば、上記のブロック７０４で述べられた第１の探索空間）において、ページング信号およびＲＡＲメッセージを伝達するＭＰＤＣＣＨを送信するように構成され得る。
【００８７】
[0102]本開示の態様によると、ＢＳは、本開示の態様による、ＭＰＤＣＣＨ共通探索空間内のＭＰＤＣＣＨにおいて、ページング信号およびＲＡＲメッセージ（例えば、上記のブロック８０４で述べられたＲＡＲメッセージ）を送信し得る。ＭＰＤＣＣＨ共通探索空間内でＭＰＤＣＣＨを送信するＢＳは、ＭＰＤＣＣＨ内でページングおよびＲＡＲメッセージを多重化し得る。
【００８８】
[0103]本開示の態様によると、ＵＥ（例えば、図８で述べらるＵＥ）は、ＵＥのカバレッジ拡張（ＣＥ）レベルに少なくとも部分的に基づいて、ＲＡＲメッセージを受信するための第４の狭帯域領域における第３の探索空間を識別し、システム情報ブロック（ＳＩＢ）において、第１の探索空間についての第１のＣＥレベルおよび第１の探索空間に関する情報を受信し、このＳＩＢまたは別のＳＩＢのうちの少なくとも１つにおいて、第３の探索空間についての第２のＣＥレベルおよび第３の探索空間に関する情報を受信し得る。
【００８９】
[0104]本開示の態様によると、ＵＥ（例えば、図８で述べられるＵＥ）は、複数のカバレッジ拡張（ＣＥ）レベルの各々について、ＲＡＲ応答ウィンドウ、マシンタイプ通信（ＭＴＣ）物理ダウンリンク制御チャネル（ＭＰＤＣＣＨ）開始点サブフレームのセット、サブフレームのＲＡＲオフセット数、およびバンドルサイズを決定し得る。
【００９０】
[0105]本開示の態様によると、ＵＥ（例えば、図８で述べられるＵＥ）は、ＢＳによってサポートされる最大カバレッジ拡張（ＣＥ）レベルに少なくとも基づいて、ページングのための無線周波数、ページングのための時間、ページングのためのバンドルサイズ、およびモニタリング候補のセットを決定し得る。ＵＥはまた、（例えば、ＢＳによって送信されるＳＩＢにおいて）ＢＳによってサポートされる最大ＣＥレベルに関する情報を受信し得る。
【００９１】
[0106]本開示の態様によると、ＵＥ（例えば、図８で述べられるＵＥ）は、第２の狭帯域領域において、システム情報（ＳＩ）変更または地震津波警報システム（ＥＴＷＳ）信号のうちの少なくとも１つを受信し得る。
【００９２】
[0107]本開示の態様によると、ＵＥ（例えば、図８で述べられるＵＥ）は、少なくとも第２のサブフレーム中に、より広いシステム帯域幅のブロードキャストチャネルにおいて、少なくとも１つのＳＩ変更またはＥＴＷＳ信号を受信し得る。
【００９３】
[0108]図９は、ＲＡＲメッセージを伝達するＭＰＤＣＣＨと、ページング信号を伝達するＭＰＤＣＣＨを多重化するための例示的な技法９１０、９２０、および９３０を例示する。例示的な技法９１０では、ＲＡＲメッセージを伝達するＭＰＤＣＣＨ ９１２が、ページング信号を伝達するＭＰＤＣＣＨ ９１４と周波数分割多重化される。例示的な技法がＫ個のサブフレーム（ＳＦ）にわたってバンドリングされたＭＰＤＣＣＨを示す一方で、本開示は、それに限定されず、ＭＰＤＣＣＨは、単一のサブフレーム中で多重化され得る。例示的な技法９２０では、ＲＡＲメッセージを伝達するＭＰＤＣＣＨ ９２２が、ページング信号を伝達するＭＰＤＣＣＨ ９２４と時分割多重化される。この技法は、Ｋ個のサブフレーム（ＳＦ）にわたってバンドリングされた各ＭＰＤＣＣＨを示すが、本開示は、それに限定されず、各ＭＰＤＣＣＨは、単一のサブフレーム中に送信され得る。例示的な技法９３０では、ＲＡＲメッセージを伝達するＭＰＤＣＣＨ ９３２が、ページング信号を伝達するＭＰＤＣＣＨ ９３４と時分割多重化されるが、各ＭＰＤＣＣＨは、非連続的なバンドル９３６、９３８において伝達される。すなわち、各ＭＰＤＣＣＨは、複数（例えば、２つ、４つ、８つ）のサブフレームにわたってバンドリングされるが、これらバンドルの各々は、全て連続的であるとは限らない（that are not all consecutive）サブフレームを含む。
【００９４】
[0109]ＢＳが、０ｄＢよりも多いカバレッジ拡張（ＣＥ）レベル（例えば、３ｄＢ、１５ｄＢ）で動作するＵＥにページングするとき、ＢＳは、ＵＥに、複数のサブフレーム中に、ページング信号を伝達する複数のＭＰＤＣＣＨまたはそのバンドル（例えば、上記の図９における技法９１０、９２０、および９３０において例示されたバンドル）を送信し得る。これらサブフレームは、連続的または非連続的であり得る。すなわち、ＢＳは、連続的なサブフレーム中か、グループ間にサブフレームを有する連続的なサブフレームのグループ中か、または非連続的なサブフレーム中に、ＭＰＤＣＣＨを送信し得る。ページングされたＵＥは、サブフレームのバンドルにおいてＭＰＤＣＣＨを受信し、ページング信号を組み合わせ、この組合せを復号し得る。ＭＰＤＣＣＨを組み合わせることは、ＵＥがＭＰＤＣＣＨを成功裡に復号し、ページング信号を検出する確率を増大させ得る。
【００９５】
[0110]０ｄＢを上回るＣＥレベルを有するＵＥをサポートするように構成されたＢＳは、例えば、システム情報ブロック（ＳＩＢ）において、または無線リソース制御を介して、ＵＥにページングするときにＢＳによって使用される（１つまたは複数の）バンドリング技法（例えば、上記の図９における技法９１０、９２０、および／または９３０）に関する情報をシグナリングし得る。このような情報は、例えば、ページング機会の開始サブフレームおよびページング機会についての繰り返しパターンを含み得る。ＢＳによってサポートされるＵＥは、この情報を受信し、ＭＰＤＣＣＨを復号するように試みるときに、どのサブフレームが組み合わせるべきＭＰＤＣＣＨを含むかを決定し得る。ＵＥは、ＭＰＤＣＣＨを含むサブフレームを決定するために、（１つまたは複数の）バンドリング技法に関する情報を使用し、ＭＰＤＣＣＨを復号するように試みる前に、このサブフレーム中に受信される信号を組み合わせ得る。
【００９６】
[0111]（例えば、上記の図９における例示的な技法９３０において例示されたように）非連続的なバンドルを使用して時分割多重化されたＭＰＤＣＣＨを受信するＵＥは、バンドル全体を受信するのを待つことなく、ＭＰＤＣＣＨを正しく復号し得る。これは、送信するＢＳが、受信するＵＥが動作しているＣＥレベルよりも高いＣＥレベルをサポートするように構成される状況において起こり得る。例えば、１５ｄＢのＣＥレベルをサポートするＢＳは、１０個のサブフレームにおいて各ＭＰＤＣＣＨをバンドリングし得る。この例では、良好な信号状態にあり、かつ０ｄＢのＣＥレベル下で動作する、受信するＵＥは、１０個のサブフレームのバンドルの第１のサブフレームを受信した後に、ＭＰＤＣＣＨを復号し得る。
【００９７】
[0112]図１０は、上記で説明された本開示の態様による、ページング信号を伝達するＭＰＤＣＣＨのためのＭＰＤＣＣＨ共通探索空間、およびＲＡＲメッセージを伝達するＭＰＤＣＣＨのための１つまたは複数のＭＰＤＣＣＨ共通探索空間を構成するための例示的な技法１０１０、１０２０、および１０３０を例示する。例示的な技法１０１０では、ＲＡＲメッセージを伝達するＭＰＤＣＣＨのためのＭＰＤＣＣＨ共通探索空間１０１２が、第１の狭帯域領域上で構成され、ページング信号を伝達するＭＰＤＣＣＨのためのＭＰＤＣＣＨ共通探索空間１０１４が、第２の狭帯域領域上で構成される。
【００９８】
[0113]例示的な技法１０２０では、ＲＡＲメッセージを伝達するＭＰＤＣＣＨのための第１のＭＰＤＣＣＨ共通探索空間１０２２が、第１の狭帯域領域上で構成され、ＲＡＲメッセージを伝達するＭＰＤＣＣＨのための第２のＭＰＤＣＣＨ共通探索空間１０２４が、第２の狭帯域領域上で構成され、ページング信号を伝達するＭＰＤＣＣＨのためのＭＰＤＣＣＨ共通探索空間１０２６が、第３の狭帯域領域上で構成される。ＲＡＲメッセージを伝達するＭＰＤＣＣＨのための第１のＭＰＤＣＣＨ共通探索空間１０２２は、バンドルサイズ＃１のＰＲＡＣＨ信号に応答するために使用され、一方、ＲＡＲメッセージを伝達するＭＰＤＣＣＨのための第２のＭＰＤＣＣＨ共通探索空間１０２４は、バンドルサイズ＃２のＰＲＡＣＨ信号に応答するために使用される。この技法は、ＲＡＲメッセージを伝達するＭＰＤＣＣＨのための２つのＭＰＤＣＣＨ共通探索空間を示すが、本開示は、それに限定されず、より多くのＭＰＤＣＣＨ共通探索空間とともに使用され得る。
【００９９】
[0114]例示的な技法１０３０では、例示的な技法１０２０と同様に、ＲＡＲメッセージを伝達するＭＰＤＣＣＨのための第１のＭＰＤＣＣＨ共通探索空間１０３２が、第１の狭帯域領域上で構成され、ＲＡＲメッセージを伝達するＭＰＤＣＣＨのための第２のＭＰＤＣＣＨ共通探索空間１０３４が、第２の狭帯域領域上で構成され、ページング信号を伝達するＭＰＤＣＣＨのためのＭＰＤＣＣＨ共通探索空間１０３６が、第３の狭帯域領域上で構成される。ＲＡＲメッセージを伝達するＭＰＤＣＣＨのための第１のＭＰＤＣＣＨ共通探索空間１０３２は、狭帯域領域またはサブバンド＃１上で受信されるＰＲＡＣＨ信号に応答するために使用され、一方、ＲＡＲメッセージを伝達するＭＰＤＣＣＨのための第２のＭＰＤＣＣＨ共通探索空間１０３４は、狭帯域領域またはサブバンド＃２上で受信されるＰＲＡＣＨ信号に応答するために使用される。この技法は、ＲＡＲメッセージを伝達するＭＰＤＣＣＨのための２つのＭＰＤＣＣＨ共通探索空間を示すが、本開示は、それに限定されず、より多くのＭＰＤＣＣＨ共通探索空間とともに使用され得る。
【０１００】
[0115]本開示の態様によると、ＭＴＣ ＵＥにサービス提供するＢＳは、（例えば、上記の図１０における例示的な技法１０１０に示すように）より広いシステム帯域幅の第１および第２の狭帯域領域における、第１のＭＰＤＣＣＨ共通探索空間においてページング信号を伝達するＭＰＤＣＣＨを、および第２のＭＰＤＣＣＨ共通探索空間においてＲＡＲメッセージを伝達するＭＰＤＣＣＨを送信するように構成され得る。
【０１０１】
[0116]ＢＳは、ＲＡＲメッセージを伝達するＭＰＤＣＣＨのための複数のＭＰＤＣＣＨ共通探索空間を用いて構成され得る。ＢＳは、（例えば、上記の図１０における技法１０２０に示すように）ＲＡＲメッセージがそれに応答するＰＲＡＣＨ信号に基づいて、ＲＡＲメッセージを送信するためにどのＭＰＤＣＣＨ共通探索空間を使用すべきかを決定し得る。ＢＳが（送信するＵＥについてのｙ以下のＣＥレベルに対応する）ｘ個（例えば、２つ）以下のサブフレームにおいてバンドリングされたＰＲＡＣＨ信号を受信した場合、ＢＳは、第１のＭＰＤＣＣＨ共通探索空間においてＲＡＲメッセージを送信することを決定し得、ＢＳが（送信するＵＥについてのｙよりも大きいＣＥレベルに対応する）ｘ＋１個（例えば、３つ）以上のサブフレームにおいてバンドリングされたＰＲＡＣＨ信号を受信した場合、ＢＳは、第２のＭＰＤＣＣＨ共通探索空間においてＲＡＲメッセージを送信することを決定し得る。ＲＡＲメッセージを伝達するための２つよりも多くのＭＰＤＣＣＨ共通探索空間を用いて構成されたＢＳは、異なるＰＲＡＣＨ信号バンドルサイズ範囲におけるＰＲＡＣＨ信号に応答するために、各ＭＰＤＣＣＨ共通探索空間を使用するように構成され得る。
【０１０２】
[0117]追加または代替として、ＲＡＲメッセージを伝達するための複数のＭＰＤＣＣＨ共通探索空間を用いて構成されたＢＳは、（例えば、上記の図１０における技法１０３０に示すように）ＲＡＲメッセージがそれに応答するＰＲＡＣＨ信号を送信するために使用されるサブバンドに基づいて、ＲＡＲメッセージを送信するためにどのＭＰＤＣＣＨ共通探索空間を使用すべきかを決定し得る。ＢＳが第１の狭帯域領域またはサブバンド上でＰＲＡＣＨ信号を受信した場合、ＢＳは、第１のＭＰＤＣＣＨ共通探索空間においてＲＡＲメッセージを送信することを決定し得、ＢＳが第２の狭帯域領域またはサブバンド上でＰＲＡＣＨ信号を受信した場合、ＢＳは、第２のＭＰＤＣＣＨ共通探索空間においてＲＡＲメッセージを送信することを決定し得る。ＲＡＲメッセージを伝達するための２つよりも多くのＭＰＤＣＣＨ共通探索空間を用いて構成されたＢＳは、異なる狭帯域領域におけるＰＲＡＣＨ信号に応答するために、各ＭＰＤＣＣＨ共通探索空間を使用するように構成され得る。
【０１０３】
[0118]本開示の態様によると、ＢＳは、ＲＡＲメッセージがそれに応答するＰＲＡＣＨ信号のバンドルサイズまたはＣＥレベルに基づいて、ＲＡＲメッセージを伝達するＭＰＤＣＣＨを送信するために、どのＭＰＤＣＣＨ共通探索空間をＢＳが使用するかに関する情報を送信し得る。すなわち、ＢＳは、第１のバンドルサイズまたは第１のＣＥレベルまたはそれよりも小さいＰＲＡＣＨ信号が、第１のＭＰＤＣＣＨ共通探索空間においてＲＡＲメッセージを用いて（ＢＳによって）応答されるであろうこと、および第１のバンドルサイズよりも大きいバンドルサイズまたは第１のＣＥレベルよりも大きいＣＥレベルのＰＲＡＣＨ信号が、第２のＭＰＤＣＣＨ共通探索空間においてＲＡＲメッセージを用いて応答されるであろうことを示す信号を送信し得る。この情報は、例えば、システム情報ブロック（ＳＩＢ）において、送信され得る。ＢＳが、２つよりも多くのバンドルサイズまたはＣＥレベルについて２つよりも多くのＭＰＤＣＣＨ共通探索空間を用いて構成される場合、ＢＳは、全てのＭＰＤＣＣＨ共通探索空間、バンドルサイズしきい値、およびＣＥレベルしきい値に関する情報を送信し得る。
【０１０４】
[0119]本開示の態様によると、ＭＴＣ ＵＥは、（例えば、上記の図８における動作８００に示すように）ＲＡＲメッセージを伝達するＭＰＤＣＣＨのための第１の狭帯域領域における第１のＭＰＤＣＣＨ共通探索空間を用いて構成され得る。ＭＴＣ ＵＥは、第２の狭帯域領域上で、ＢＳにＰＲＡＣＨ信号を送信し得る。ＵＥは、第１のＭＰＤＣＣＨ共通探索空間において、ＢＳからのＲＡＲメッセージを伝達するＭＰＤＣＣＨを受信し得る。ＵＥは、システム情報ブロック（ＳＩＢ）において、ＲＡＲメッセージを伝達するＭＰＤＣＣＨのための第１のＭＰＤＣＣＨ共通探索空間に関する情報を受信し得る。
【０１０５】
[0120]本開示のいくつかの態様によると、ＵＥは、少なくとも１つのサブフレーム中に、第１のＭＰＤＣＣＨ共通探索空間において、ＲＡＲメッセージを伝達するＭＰＤＣＣＨと（例えば、上記の図９における技法９１０に示すように）多重化された、ページング信号を伝達するＭＰＤＣＣＨを受信し得る。
【０１０６】
[0121]ＵＥは、（例えば、上記の図９における技法９２０に示すように）別のサブフレーム中に、第１のＭＰＤＣＣＨ共通探索空間において、ページング信号を伝達するＭＤＰＣＣＨを受信し得る。本開示の態様によると、（例えば、上記の図９における技法９３０に示すように）ＲＡＲメッセージを伝達するＭＰＤＣＣＨは、非連続的なサブフレームにおいてバンドリングされ得、ページング信号を伝達するＭＰＤＣＣＨは、非連続的なサブフレームにおいてバンドリングされ得る。
【０１０７】
[0122]ＭＴＣ ＵＥは、（例えば、上記の図１０における技法１０１０に示すように）ページング信号を伝達するＭＰＤＣＣＨのための第１のＭＰＤＣＣＨ共通探索空間およびＲＡＲメッセージを伝達するＭＰＤＣＣＨのための第２のＭＰＤＣＣＨ共通探索空間を用いて構成され得る。第１および第２のＭＰＤＣＣＨ共通探索空間は、より広いシステム帯域幅の異なる狭帯域領域内にそれぞれあり得る。
【０１０８】
[0123]ＭＴＣ ＵＥは、（例えば、上記の図１０における技法１０２０に示すように）ＲＡＲメッセージを伝達するＭＰＤＣＣＨのための第３のＭＰＤＣＣＨ共通探索空間を識別し得る。ＵＥは、ＵＥのカバレッジ拡張（ＣＥ）レベルに基づいて、ＲＡＲメッセージを伝達するＭＰＤＣＣＨのための第２のＭＰＤＣＣＨ共通探索空間またはＲＡＲメッセージを伝達するＭＰＤＣＣＨのための第３のＭＰＤＣＣＨ共通探索空間をモニタすることを決定し得る。ＵＥは、システム情報ブロック（ＳＩＢ）において、ＲＡＲメッセージを伝達するＭＰＤＣＣＨのための第２のＭＰＤＣＣＨ共通探索空間および対応するＣＥレベルに関する情報を受信し得る。ＵＥはまた、ＳＩＢにおいて、ＲＡＲメッセージを伝達するＭＰＤＣＣＨのための第３のＭＰＤＣＣＨ共通探索空間および対応するＣＥレベルに関する情報を受信し得る。
【０１０９】
[0124]ＭＴＣ ＵＥは、（例えば、上記の図１０における技法１０３０に示すように）ＲＡＲメッセージを伝達するＭＰＤＣＣＨのための第３のＭＰＤＣＣＨ共通探索空間を識別し得る。ＵＥは、ＰＲＡＣＨ信号を送信するために使用される狭帯域領域またはサブバンドに基づいて、ＲＡＲメッセージを伝達するＭＰＤＣＣＨのための第２のＭＰＤＣＣＨ共通探索空間またはＲＡＲメッセージを伝達するＭＰＤＣＣＨのための第３のＭＰＤＣＣＨ共通探索空間をモニタすることを決定し得る。ＵＥは、システム情報ブロック（ＳＩＢ）において、ＲＡＲメッセージを伝達するＭＰＤＣＣＨのための第２のＭＰＤＣＣＨ共通探索空間および対応するＰＲＡＣＨサブバンドに関する情報を受信し得る。ＵＥはまた、ＳＩＢにおいて、ＲＡＲメッセージを伝達するＭＰＤＣＣＨのための第３のＭＰＤＣＣＨ共通探索空間および対応するＰＲＡＣＨサブバンドに関する情報を受信し得る。
【０１１０】
[0125]ＢＳは、図９に示される技法９１０において例示されるように、１つのＭＰＤＣＣＨ共通探索空間において、同じサブフレーム中で、ページング信号を伝達するＭＰＤＣＣＨとＲＡＲメッセージを伝達するＭＰＤＣＣＨを多重化するか、あるいは他の技法を使用して、ページング信号を伝達するＭＰＤＣＣＨおよびＲＡＲメッセージを伝達するＭＰＤＣＣＨを送信するかを決定し得る。低いＣＥレベルまたはバンドルサイズのみをサポートするＢＳは、ページング信号を伝達するＭＰＤＣＣＨとＲＡＲメッセージを伝達するＭＰＤＣＣＨを多重化することを決定し得る。より高いＣＥレベル（例えば、１５ｄＢ）またはバンドルサイズ（例えば、１０個のサブフレーム）をサポートするＢＳは、図９に示される技法９２０において例示されるように、ページング信号を伝達するＭＰＤＣＣＨとＲＡＲメッセージを伝達するＭＰＤＣＣＨを時分割多重化することを決定し得る。代替として、より高いＣＥレベルまたはバンドルサイズをサポートするＢＳは、図１０に示される技法１０２０および１０３０に示されるように、第１のＭＰＤＣＣＨ共通探索空間において、ページング信号を伝達するＭＰＤＣＣＨを送信し、１つまたは複数の他のＭＰＤＣＣＨ共通探索空間において、ＲＡＲメッセージを伝達するＭＰＤＣＣＨを送信することを決定し得る。
【０１１１】
[0126]本開示の態様によると、ＢＳは、複数のＣＥレベルの各々について、ＲＡＲ応答ウィンドウのインジケーションを送信し得る。ＲＡＲ応答ウィンドウは、ＵＥがＰＲＡＣＨ信号を送信するべきであることを決定する前に、ＵＥがＰＲＡＣＨ信号を送信した後にＲＡＲメッセージをモニタすべき時間期間である。ＢＳは、複数のＣＥレベルの各々について、サブフレームのＲＡＲオフセット数またはＲＡＲ応答ウィンドウのインジケーションを送信し得る。ＲＡＲオフセットは、ＲＡＲ応答ウィンドウの間ＲＡＲメッセージをモニタすることを開始する前に、ＰＲＡＣＨ送信を終えた後にＵＥが待つべきである時間期間である。ＭＴＣ ＵＥは、例えば、再チューニング時間または半二重能力（half duplex capability）により、標準ＵＥよりも長いＲＡＲオフセットを有し得る。
【０１１２】
[0127]ＢＳは、複数のＣＥレベルの各々について、ＭＰＤＣＣＨ開始点サブフレームのセットのインジケーションを送信し得る。ＭＰＤＣＣＨ開始点サブフレームのセットは、ＢＳがその中でＭＰＤＣＣＨを送信することを開始し得るサブフレームである（例えば、サブフレームのバンドルの最初のサブフレーム）。ＢＳは、複数のＣＥレベルの各々について、バンドルサイズのインジケーションを送信し得る。
【０１１３】
[0128]本開示の態様によると、ＢＳは、ＢＳによってサポートされる最大ＣＥレベルに基づいて、ページングのための無線周波数、ページングのための時間、およびページング信号を伝達するＭＰＤＣＣＨのためのバンドルサイズを決定し得る。
【０１１４】
[0129]本開示の態様によると、ＢＳは、より広いシステム帯域幅のブロードキャストチャネルにおいて、システム情報（ＳＩ）変更または地震津波警報システム（ＥＴＷＳ）信号を送信し得る。ＢＳは、接続モードの（例えば、アイドルモードでない）ＵＥが、より広いシステム帯域幅のブロードキャストチャネルをモニタしないことがある（may not monitor）ので、狭帯域領域において１つまたは複数のＭＴＣ ＵＥに専用シグナリングで同じＳＩ変更またはＥＴＷＳ信号を送信し得る。
【０１１５】
[0130]本開示の態様によると、接続モードにあるＭＴＣ ＵＥは、ＭＴＣ ＵＥに割り当てられた狭帯域領域から周期的にチューンアウェイ（tune away）し、より広いシステム帯域幅のブロードキャスト領域にチューニングし得る。ＭＴＣ ＵＥをサポートするＢＳは、ＭＴＣ ＵＥが、ＭＴＣ ＵＥに割り当てられた狭帯域領域からチューンアウェイする時間期間を決定し、このＵＥにいずれの専用チャネルを送信することも控え得る。ＢＳは、ＭＴＣ ＵＥが、ＭＴＣ ＵＥに割り当てられた狭帯域領域からチューンアウェイした時間期間において、より広いシステム帯域幅のブロードキャストチャネルにおいて、ＭＴＣ ＵＥにシステム情報（ＳＩ）変更または地震津波警報システム（ＥＴＷＳ）信号を送信して、ＭＴＣ ＵＥがＳＩ変更および／またはＥＴＷＳ信号を受信するであろう確率を向上させ得る。
【０１１６】
[0131]本開示の態様によると、ＵＥが接続モード（例えば、接続ＤＲＸモード）にあるとともに、このＵＥ（例えば、ＭＴＣ ＵＥ）にサービス提供するＢＳは、ＵＥを切断モードに遷移させ得る。ＢＳは、例えば、切断するための明示的なコマンドを送ることによって、またはＵＥからの送信に応答することを控えること、これは、ＵＥに、無線リンク障害（ＲＬＦ）を宣言させ、ＢＳから切断させ得る、によって、ＵＥを切断モードに遷移させ得る。ＢＳは、ＵＥが、ＥＴＷＳ信号および／またはＳＩ変更の通知を受信するためにページングチャネルをモニタし得るように、ＵＥを切断モードに遷移させ得る。
【０１１７】
[0132]図１１は、本開示の態様による、ＢＳ（例えば、図１におけるｅノードＢ １１０ａ）によって実行され得るワイヤレス通信のための例となる動作１１００を例示する。動作１１００は、ＭＴＣ ＵＥへの送信をスクランブルし、ＭＴＣ ＵＥをその他の点でサポートする（otherwise support）ために、ＢＳによって実行され得る。
【０１１８】
[0133]動作１１００は、ブロック１１０２において開始し、ここで、ＢＳは、ＵＥのカバレッジ拡張（ＣＥ）レベルを決定する。動作１１００は、ブロック１１０４において継続し、ここで、ＢＳは、ＣＥレベルに基づいて、ＵＥに信号を送信するためのスクランブリングシーケンスを初期化する。ブロック１１０６において、ＢＳは、スクランブリングシーケンスを用いて、ＵＥへの信号をスクランブルする。ブロック１１０８において、動作１１００は、ＢＳが、ＵＥに、スクランブルされた信号を送信することにより継続する。
【０１１９】
[0134]図１２は、本開示の態様による、ＵＥ（例えば、図１におけるＵＥ １２０ａ）によって実行され得るワイヤレス通信のための例となる動作１２００を例示する。動作１２００は、例えば、ＭＰＤＣＣＨを逆スクランブルするために、ＭＴＣ ＵＥによって実行され得る。動作１２００は、上記で説明された図１１における動作１１００と相補的であると考えられ得る。
【０１２０】
[0135]動作１２００は、ブロック１２０２において開始し、ここで、ＵＥは、ＵＥのカバレッジ拡張（ＣＥ）レベルに基づいて、スクランブリングシーケンスを初期化する。動作１２００は、ブロック１２０４において継続し、ここで、ＵＥは、スクランブリングシーケンスを用いてスクランブルされた信号を受信する。ブロック１２０６において、ＵＥは、スクランブリングシーケンスを用いて信号を逆スクランブルする。
【０１２１】
[0136]図１３は、本開示の態様による、ＢＳ（例えば、図１におけるｅノードＢ １１０ａ）によって実行され得るワイヤレス通信のための例となる動作１３００を例示する。動作１３００は、ＭＴＣ ＵＥへの送信をスクランブルし、ＭＴＣ ＵＥをその他の点でサポートするために、ＢＳによって実行され得る。
【０１２２】
[0137]動作１３００は、ブロック１３０２において開始し、ここで、ＢＳは、スクランブリングシーケンス初期化で初期化されたスクランブリングシーケンスを用いて、第１のＵＥへの第１の復調基準信号（ＤＭ−ＲＳ）をスクランブルする。動作１３００は、ブロック１３０４において継続し、ここで、ＢＳは、スクランブリングシーケンス初期化で初期化された第２のスクランブリングシーケンスを用いて、第２のＵＥへの第２のＤＭ−ＲＳをスクランブルする。ブロック１３０６において、ＢＳは、同じ探索空間において、第１のＵＥに、スクランブルされた第１のＤＭ−ＲＳを、および第２のＵＥに、スクランブルされた第２のＤＭ−ＲＳを送信する。
【０１２３】
[0138]図１４は、本開示の態様による、ＵＥ（例えば、図１におけるＵＥ １２０ａ）によって実行され得るワイヤレス通信のための例となる動作１４００を例示する。動作１４００は、例えば、ＭＰＤＣＣＨを逆スクランブルするために、ＭＴＣ ＵＥによって実行され得る。動作１４００は、上記で説明された図１３における動作１３００と相補的であると考えられ得る。
【０１２４】
[0139]動作１４００は、ブロック１４０２において開始し、ここで、ＵＥは、スクランブリングシーケンス初期化で初期化されたスクランブリングシーケンスを用いてスクランブルされた第１の復調基準信号（ＤＭ−ＲＳ）を受信する。動作１４００は、ブロック１４０４において継続し、ここで、ＵＥは、探索空間において、第１のスクランブリングシーケンスを用いてスクランブルされた信号を受信し、ここで、スクランブリングシーケンス初期化で初期化された第２のスクランブリングシーケンスを用いてスクランブルされた少なくとも第２のＤＭ−ＲＳが、探索空間において送信される。ブロック1４０６において、ＵＥは、スクランブリングシーケンスを用いて信号を逆スクランブルする。
【０１２５】
[0140]本開示の態様によると、ＭＴＣ ＵＥをサポートするＢＳは、ＭＰＤＣＣＨ共通探索空間において送信されるＭＰＤＣＣＨ関連基準信号（例えば、ＤＭ−ＲＳ）または（例えば、上記の図１１における動作１１００に示すように）ＭＰＤＣＣＨをスクランブルするときに、固定されたスクランブリングＩＤを使用し得る。スクランブリングＩＤは、ＭＰＤＣＣＨを受信する全てのＵＥが、ＭＰＤＣＣＨを逆スクランブルすることが可能であり得るように、固定である。固定されたスクランブリングＩＤは、ＳＩＢ（例えば、ＳＩＢ１）において送信され得る。
【０１２６】
[0141]ＭＰＤＣＣＨのスクランブリングは、３ＧＰＰ ＴＳ ３６．２１３「Evolved Universal Terrestrial Radio Access (E-UTRA); Physical layer procedures」および３ＧＰＰ ＴＳ ３６．２１１ 「Evolved Universal Terrestrial Radio Access (E-UTRA); Physical Channels and Modulation」において説明されているＥＰＤＣＣＨのスクランブリングに類似し得、これらは、公に入手可能であり、参照により本明細書に組み込まれる。ＭＰＤＣＣＨ復号候補を決定するために使用される変数Ｙｐ，ｋは、ＭＰＤＣＣＨがページング信号を伝達するか、あるいはＲＡＲメッセージを伝達するかに依存して、ページング無線ネットワーク一時識別子（Ｐ−ＲＮＴＩ）またはランダムアクセス無線ネットワーク一時識別子（ＲＡ−ＲＮＴＩ）のいずれかを用いて初期化される。いくつかのケースでは、ＭＰＤＣＣＨ復号候補は、ＢＳによってサポートされる最大カバレッジ拡張レベルによって決定され得、これは、ＢＳによって送信されるＳＩＢ１においてシグナリングされ得る。上述されたように、スクランブリングＩＤ ｎＭＰＤＣＣＨＳＣＩＤは、セルによってサービス提供される全てのＵＥについて固定である。ＥＰＤＣＣＨとＭＰＤＣＣＨとの間のランダム化を向上させるために、スクランブリングＩＤは、３に設定され得、これは、典型的に２に設定されるＥＰＤＣＣＨのためのスクランブリングＩＤ ｎＥＰＤＣＣＨＩＤ，ｍとは異なる。このとき、ＭＰＤＣＣＨに関するスクランブリング初期化は、下記のとおりである：
【数１】
2018527785.tif 000003
【０１２７】
[0142]スクランブリングＩＤは、シグナリングされているＵＥのＣＥレベルに依存することができる。例えば、ＢＳは、ＣＥなしでまたは小さいＣＥ（例えば、０ｄＢのＣＥレベル）で動作しているＵＥにシグナリングするとき、スクランブリングＩＤとしてｎＭＰＤＣＣＨＳＣＩＤ＝２を使用し得、また、ＢＳは、より大きいＣＥ（例えば、１０ｄＢのＣＥレベル）で動作しているＵＥにシグナリングするとき、スクランブリングＩＤとして３を使用し得る。
【０１２８】
[0143]スクランブリングシーケンス初期化は、本開示の態様によると、セル固有であり得る。すなわち、ＢＳは、１つのセルにおけるＵＥへの全てのＭＰＤＣＣＨをスクランブルするために、１つのスクランブリングシーケンス初期化を使用し得、一方、他のＢＳは、他のセルにおいてサービス提供されるＵＥへのＭＰＤＣＣＨをスクランブルするために、他のスクランブリングシーケンス初期化を使用し得る。
【０１２９】
[0144]本開示の態様によると、スクランブリングシーケンスは、復調基準信号（ＤＭ−ＲＳ）を備え得る。
【０１３０】
[0145]本開示の態様によると、ＢＳは、同じリソースブロックにおいて、非ｅＭＴＣ ＵＥへのスクランブルされた信号と多重化された、拡張型マシンタイプ通信（ｅＭＴＣ）ＵＥへのスクランブルされた信号を送信し得る。
【０１３１】
[0146]本開示の態様によると、ＵＥは、（例えば、上記の図１２における動作１２００に示すように）ＢＳからのスクランブルされた信号を受信し、ＵＥのＣＥレベルに基づいて、スクランブリングシーケンスを初期化し、スクランブリングシーケンスを用いてスクランブルされた信号を逆スクランブルし得る。スクランブルされたシーケンスは、ＤＭ−ＲＳを備え得る。別の信号が、同じリソースブロックにおいて、スクランブルされた信号と多重化され得る。
【０１３２】
[0147]本開示の態様によると、ＵＥは、ページングチャネルの受信のために、異なる繰り返しレベルのＭＰＤＣＣＨをモニタし得る。例えば、ｅＮＢは、セット｛１，４，３２，２５６｝から選択される繰り返しレベルＲを用いて（with）、ページングに関連するＭＰＤＣＣＨを送信し得る。ＭＰＤＣＣＨの繰り返し数における大きな変動性（large variability）は、ｅＮＢが、幅広く変化するカバレッジレベルを有するＵＥに適応（accommodate）することを可能にする。いくつかのケースでは、良好なカバレッジにあるＵＥは、より低い繰り返しレベル（例えば、Ｒ∈｛１，４｝）のみをモニタする必要があり得、ｅＮＢがより大きい繰り返しレベルを用いて送信した場合、ＵＥは、早期復号（early decode）し得る。例えば、ｅＮＢがＲ＝３２で送信した場合、ＵＥは、より低い数の繰り返し（例えば、Ｒ＝８）で早期復号することが可能であり得る。すなわち、この例では、ｅＮＢがＭＰＤＣＣＨを３２回（繰り返しレベル３２）送信する一方で、ＵＥは、８回目の繰り返しの後にＭＰＤＣＣＨを正しく復号し得、ＵＥは、８回目の繰り返しの後に受信機を非アクティブ化し得、したがって、電力を節約する。ＵＥにとっては、通信における良好な信頼性を維持しながら、ＵＥの電力消費を低減させるために、モニタすべき繰り返しレベルを正しく評価することが重要であり得る。
【０１３３】
[0148]本開示の態様によると、ＢＳ（例えば、図７および／または図１５で述べられるＢＳ）は、ＵＥのカバレッジ拡張（ＣＥ）レベルに少なくとも部分的に基づいて、ダウンリンクチャネルを送信するための繰り返しのセットを決定し、ダウンリンクチャネルについての電力ブースト値を決定し、ダウンリンクチャネルについての電力ブースト値のインジケーションを送信し、繰り返しのセットおよび電力ブースト値に基づいて、ダウンリンクチャネルを送信し得る。ＢＳは、繰り返しのセットにおける少なくとも１つの繰り返しについて、異なる電力ブースト値を決定し得る。すなわち、ＢＳは、ＵＥのＣＥレベルの情報に基づいて、ＵＥへのチャネルをどのくらい電力ブーストすべきか、およびいくつの繰り返しを使用すべきかを決定し得、その後、ＢＳは、決定された繰り返し数だけ、ＵＥにチャネル（例えば、ＭＰＤＣＣＨ）を送信し得るとともに、各繰り返しは、決定された量のうちの１つで電力ブーストされる。
【０１３４】
[0149]いくつかのケースでは、ＵＥによるモニタすべき繰り返しレベルの評価は、測定された受信信号品質に基づいて行われ得る。例えば、ＵＥは、セル固有基準信号に基づいて、ダウンリンクＲＳＲＰ、ＲＳＲＱ、および／または信号対雑音比（ＳＮＲ）を測定し得、ＵＥは、この測定に少なくとも部分的に基づいて、ページングをモニタすべき繰り返しのレベルを決定し得る。本開示の態様によると、ＵＥは、ある特定の信頼度（例えば、１％のミスされた検出レート（missed detection rate））まででＭＰＤＣＣＨを復号するために必要な繰り返しレベルを決定し、その要件を満たす繰り返しレベルのセットからの最も低い繰り返しレベルをモニタすることを選択し得る。例えば、ＵＥは、１％のミスされた検出のレートでＭＰＤＣＣＨを受信するための信頼性の要件を有し、３２および２５６の繰り返しレベルの両方が、その要件を満たすことを決定し、３２の繰り返しレベルでＭＰＤＣＣＨをモニタすることを選択し得、なぜなら、それは、２５６の繰り返しレベルよりも低いからである。
【０１３５】
[0150]いくつかのケースでは、ページングのためのＭＰＤＣＣＨは、ディープカバレッジ（deep coverage）におけるＵＥについての復号時間を低減させるために、電力ブーストされ得る。ページングのためのＭＰＤＣＣＨが電力ブーストされるとき、ＵＥは、モニタすべき繰り返しレベルまたは複数の繰り返しレベルを評価するときに、ＭＰＤＣＣＨの電力ブースト値を考慮に入れ得る。ＵＥは、ある特定の信頼度（例えば、１％のミス検出レート）まででＭＰＤＣＣＨを復号するために必要な繰り返しレベルを決定し、ＭＰＤＣＣＨの電力ブースト値を考慮に入れながら、その要件を満たす最も低い繰り返しレベルを選び得る。例えば、ＵＥが、ｅＮＢからの信号についてのＳＮＲ値が−５ｄＢであり、ページングのためのＭＰＤＣＣＨについての電力ブースト値が３ｄＢであると決定した場合には、ＵＥは、−５＋３＝−２ｄＢの実効ＳＮＲ値（effective SNR value）に基づく繰り返しレベルを使用して、ＭＰＤＣＣＨをモニタすることを決定し得る。ｅＮＢによって使用される電力ブースト値は、システム情報においてｅＮＢによってブロードキャストされるか、ユニキャスト方式で（例えば、ＲＲＣメッセージによって）ＵＥに通信されるか、または上位層シグナリングによって伝達され得る。さらに、異なる繰り返しレベルが、異なる電力ブースト値を有し得るので、ｅＮＢは、繰り返しレベルの各々（またはサブセット）に対応する電力ブースト値のセットのインジケーションを決定および送信し得、ＵＥは、測定された受信信号品質および示された電力ブースト値のセットに少なくとも部分的に基づいて、繰り返しレベルのサブセットまたは最大繰り返しレベルを決定し得る。上記のように、ｅＮＢは、電力ブースト値のセットのインジケーションをブロードキャストするか、ユニキャスト方式でインジケーションを送信するか、または上位層シグナリングによってインジケーションを伝達し得る。
【０１３６】
[0151]本開示の態様によると、ＵＥ（例えば、図８で述べられるＵＥ）は、第３の狭帯域領域における第２の探索空間においてページング信号を受信し得る。すなわち、ＵＥは、第１の狭帯域領域上でＰＲＡＣＨ信号を送信し、第２の狭帯域領域上でＰＲＡＣＨに応答するＲＡＲメッセージを受信し、第３の狭帯域領域における別の探索空間においてページング信号を受信し得る。
【０１３７】
[0152]本開示の態様によると、ＵＥ（例えば、図８および／または図１５で述べられるＵＥ）は、ＢＳによってサポートされる最大カバレッジ拡張（ＣＥ）レベルに少なくとも部分的に基づいて、ダウンリンクチャネルを受信するための第１の繰り返しのセットを決定し、受信信号品質を決定し、第１の繰り返しのセットおよび受信信号品質に少なくとも部分的に基づいて、ダウンリンクチャネルを受信するための第２の繰り返しのセットを決定し、第２の繰り返しのセットに基づいて、ダウンリンクチャネルを受信し得る。ＵＥは、さらに、ダウンリンクチャネルについての電力ブースト値のインジケーションを受信し、電力ブースト値のインジケーションにさらに基づいて、ダウンリンクチャネルを受信するための第２の繰り返しのセットを決定し得る。ダウンリンクチャネルについての電力ブースト値のインジケーションは、第１の繰り返しのセットにおける異なる繰り返しについての異なる電力ブースト値を示し得る。追加または代替として、ダウンリンクチャネルは、ページングチャネルに関連付けられた制御チャネルであり得る。また、追加または代替として、ＵＥは、ＵＥがダウンリンクチャネルを受信しない場合、間欠受信（ＤＲＸ）モードに移行（move）し得る。
【０１３８】
[0153]図１５は、本開示の態様に従って動作するＢＳ（例えば、図１に示されるｅＮＢ １１０ａ）の例示的な送信タイムライン１５０２と、ＵＥ（例えば、図１に示されるＵＥ １２０ａ）の例示的な送信タイムライン１５１０とを例示する。ＵＥは、先に説明されたように、ＭＴＣ ＵＥであり得る。例示的なタイムライン１５０２および１５１０において、各ブロックは、１つのサブフレームを表す。時間１５０４の間、ＢＳは、３２の繰り返しレベルでＭＰＤＣＣＨを送信する。ＭＰＤＣＣＨは、例えば、図１に示されるＵＥ １２０ａのような、ＭＴＣ ＵＥに向けられたＰＤＳＣＨをスケジューリングし得る。ＭＰＤＣＣＨは、上記で先に説明されたように、電力ブーストされ得る。例となるタイムラインでは、ＭＰＤＣＣＨは、電力ブーストされ、ＭＴＣ ＵＥは、１５１２において示される時間の間に、８つのサブフレームにおけるＭＰＤＣＣＨを受信し、成功裡に復号する。ＭＴＣ ＵＥは、ＢＳによって使用される繰り返しレベルに関する情報を有しており、塗りつぶされていないボックス（unfilled box）によって例示されるような、時間１５１４の残りの部分の間、ＭＴＣ ＵＥの受信機を電源オフにする。時間１５０６の間、ＢＳは、ＭＴＣ ＵＥに、ＭＰＤＣＣＨによってスケジューリングされたＰＤＳＣＨを送信する。時間１５１６の間、ＵＥは、ＵＥの受信機をアクティブ化し、ＰＤＳＣＨを受信および復号する。例示されるように、ＭＴＣ ＵＥは、ＰＤＳＣＨを成功裡に受信するために、必要な場合には、３２個のサブフレームの繰り返しレベルの間、受信機をアクティブに維持し得る。
【０１３９】
[0154]ここで使用される場合、アイテムのリスト「のうちの少なくとも１つ」という表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに同一の要素の重複を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
【０１４０】
[0155]ここでの開示に関連して説明されたアルゴリズムまたは方法のステップは、直接ハードウェアにおいて、プロセッサによって実行されるソフトウェアモジュールにおいて、またはこれら２つの組合せにおいて、具現化され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック（gated logic）、個別ハードウェア回路、および本開示の全体にわたって説明された様々な機能を実行するように構成された他の適切なハードウェアを含む。ソフトウェアは、ソフトウェア、ファームウェア、ミドルウェア、マイクロコード、ハードウェア記述言語、またはそれ以外の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。ソフトウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（相変化メモリ）、レジスタ、ハードディスク、リムーバブルディスク、ＣＤ−ＲＯＭ、または当該技術分野において知られているその他任意の形態の記憶媒体内に存在し得る。例示的な記憶媒体は、プロセッサが記憶媒体から情報を読み取り、および／または記憶媒体に情報を書き込むことができるように、プロセッサに結合される。代替として、記憶媒体は、プロセッサと一体化され得る。プロセッサおよび記憶媒体は、ＡＳＩＣ内に存在し得る。ＡＳＩＣは、ユーザ端末内に存在し得る。代替として、プロセッサおよび記憶媒体は、ユーザ端末内に個別のコンポーネントとして存在し得る。一般に、図面に例示された動作がある場合、これらの動作は、同様の番号付けを有する、対応する対をなすミーンズプラスファンクションのコンポーネントを有し得る。
【０１４１】
[0156]１つまたは複数の例示的な設計では、説明された機能は、ハードウェア、ソフトウェア、またはこれらの組合せでインプリメントされ得る。ソフトウェアでインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体とコンピュータ記憶媒体との両方を含む。記憶媒体は、汎用または専用コンピュータによってアクセスされることができる任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコード手段を記憶または搬送するために使用されることができ、かつ、汎用または専用コンピュータ、または汎用または専用プロセッサによってアクセスされることができるその他任意の媒体を備えることができる。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれるべきである。
【０１４２】
[0157]本開示の先の説明は、いかなる当業者であっても、本開示の製造または使用を可能にするように提供される。本開示への様々な修正は、当業者には容易に明らかとなり、ここで定義した一般原理は、本開示の範囲または趣旨から逸脱することなく、他の変形形態に適用され得る。したがって、本開示は、ここで説明された例および設計に限定されるようには意図されず、ここで開示された原理および新規の特徴に合致する最も広い範囲を与えられることとなる。
【図１】
2018527785.tif 000004
【図２】
2018527785.tif 000005
【図３】
2018527785.tif 000006
【図４】
2018527785.tif 000007
【図５Ａ】
2018527785.tif 000008
【図５Ｂ】
2018527785.tif 000009
【図６】
2018527785.tif 000010
【図７】
2018527785.tif 000011
【図８】
2018527785.tif 000012
【図９】
2018527785.tif 000013
【図１０】
2018527785.tif 000014
【図１１】
2018527785.tif 000015
【図１２】
2018527785.tif 000016
【図１３】
2018527785.tif 000017
【図１４】
2018527785.tif 000018
【図１５】
2018527785.tif 000019
【国際調査報告】
2018527785.tif 000020
2018527785.tif 000021
2018527785.tif 000022
2018527785.tif 000023
2018527785.tif 000024
2018527785.tif 000025